(57)【要約】本発明は、データチャネルを介して送信エンティティから受信エンティティにデータを再送するためにＨＡＲＱプロトコルが使用される無線通信システムにおいてデータ再送の送信タイミングを制御する方法に関する。更に、本発明は、本発明を用いる基地局と、移動端末と、通信システムとに関する。干渉が危機的な状況において同期再送から結果として生ずる問題を克服するために、本発明は、新しいＨＡＲＱプロトコルに追加的なフィードバックシグナリングを導入する。この新しいＮＡＣＫ−Ｈは、否定的フィードバックメッセージを受信した後の所定の時点に再送を送信する代わりに、追加時間により同期再送を延期することを送信エンティティに示す。
2007523529.tif 000002
【特許請求の範囲】
【請求項１】
データチャネルを介して送信エンティティから受信エンティティにデータを再送するためにＨＡＲＱプロトコルが使用される無線通信システムにおいてデータ再送の送信タイミングを制御する方法であって、前記受信エンティティは、
前記送信エンティティからデータパケットを受信するステップ（１３０２）と、
前記データパケットの受信に成功したか否かを判断するステップ（１３０３）と、
前記データパケットの受信に成功していないと判断された場合に、干渉レベルが所定の閾値干渉レベル以上であるか否かを判断するステップ（１３０５）と、
フィードバックメッセージ（ＮＡＣＫ、ＮＡＣＫ−Ｈ）を生成するステップと、
前記フィードバックメッセージを前記送信エンティティに送信するステップ（１３０６、１３０７）と、
を実行し、
前記フィードバックメッセージ（ＮＡＣＫ）は、前記判断される干渉レベルが前記所定の閾値干渉レベル未満である場合に、前記フィードバックメッセージ（ＮＡＣＫ）を受信してから第１の所定の期間（ＴSｙｎｃ）後に前記受信データパケットの再送データパケットを送信することを前記送信エンティティに示し、
前記フィードバックメッセージ（ＮＡＣＫ―Ｈ）は、前記判断される干渉レベルが前記所定の閾値干渉レベル以上の場合に、前記フィードバックメッセージ（ＮＡＣＫ−Ｈ）を受信してから第２の所定の期間（ＴＨａｌｔ）後に前記受信データパケットの再送データパケットを送信することを前記送信エンティティに示す、方法。
【請求項２】
前記第２の期間（ＴＨａｌｔ）が前記第１の期間（ＴSｙｎｃ）よりも大きい、請求項１記載の方法。
【請求項３】
データチャネルを介して送信エンティティから受信エンティティにデータを再送するためにＨＡＲＱプロトコルが使用される無線通信システムにおいてデータ再送の送信タイミングを制御する方法であって、前記受信エンティティは、
前記送信エンティティからデータパケットを受信するステップ（１３０２）と、
前記データパケットの受信に成功したか否かを判断するステップ（１３０３）と、
前記データパケットの受信に成功していないと判断された場合に、干渉レベルが所定の閾値干渉レベル以上であるか否かを判断するステップ（１３０５）と、
フィードバックメッセージ（ＮＡＣＫ、ＮＡＣＫ−Ｈ）を生成するステップと、
前記フィードバックメッセージを前記送信エンティティに送信するステップ（１３０６、１３０７）と、
を実行し、
前記フィードバックメッセージ（ＮＡＣＫ）は、前記判断される干渉レベルが前記所定の閾値干渉レベル未満である場合に、前記フィードバックメッセージ（ＮＡＣＫ）を受信してから第１の所定の期間（ＴSｙｎｃ）後に前記受信データパケットの再送データパケットを送信することを前記送信エンティティに示し、
前記フィードバックメッセージ（ＮＡＣＫ―Ｈ）は、前記判断される干渉レベルが前記所定の閾値干渉レベル以上の場合に、前記受信データパケットの再送を停止することを示す、方法。
【請求項４】
前記送信エンティティを含む複数の送信エンティティのデータ送信をスケジューリングするステップと、
前記干渉レベル前記所定の閾値干渉レベル以上の場合に、前記複数の送信エンティティからのデータ送信のスケジューリングを停止するステップと、
を更に備える、請求項１から請求項３のいずれかに記載の方法。
【請求項５】
前記スケジューリングするステップは、前記干渉レベルが前記所定の閾値干渉レベル未満に低下すると継続される、請求項４記載の方法。
【請求項６】
前記送信エンティティの送信フォーマットコンビネーションサブセットを制御するステップと、
前記判断される干渉レベルが前記所定の閾値干渉レベル以上の場合に、前記送信エンティティの前記送信フォーマットコンビネーションサブセットを制限するステップと、
を更に備え、
前記送信フォーマットコンビネーションは、前記送信エンティティ（１０３）が送信時間間隔において送信することができるデータ量を定める、請求項１から請求項５のいずれかに記載の方法。
【請求項７】
前記送信エンティティを含む複数の送信エンティティに共通レート制御メッセージを送信するステップを更に備え、
前記共通レート制御メッセージは、前記複数の送信エンティティそれぞれの送信フォーマットコンビネーションサブセットを制限して、前記複数の送信エンティティに共通する最大データレートを定める、請求項４から請求項６のいずれかに記載の方法。
【請求項８】
データパケットの受信の成功または失敗を示すフィードバックメッセージは一つの制御チャネルを介して送信される、請求項１から請求項７に記載の方法。
【請求項９】
前記フィードバックメッセージの情報は、スケジューリング関連制御情報と統合され、一緒に符号化される、請求項８記載の方法。
【請求項１０】
前記フィードバックメッセージを受信してから第２の時間間隔後に前記再送データパケットを送信することを示す前記フィードバックメッセージ（ＮＡＣＫ−Ｈ）は、前記受信データパケットの受信の成功もしくは失敗を、または前記第１の所定の期間後に再送データパケットを送信することを示す前記フィードバックメッセージ（ＡＣＫ、ＮＡＣＫ）をシグナリングするために用いられるＯＶＳＦ符号とは異なるＯＶＳＦ符号を用いてシグナリングされる、請求項１から請求項７のいずれかに記載の方法。
【請求項１１】
データチャネルを介して送信エンティティから受信エンティティにデータを再送するためにＨＡＲＱプロトコルが使用される無線通信システムにおいてデータ再送の送信タイミングを制御する方法であって、前記送信エンティティは、
前記受信エンティティ（２０４、２０５）にデータパケットを送信するステップ（１３０１）と、
前記受信エンティティ（２０４、２０５）から前記送信データパケットに対するフィードバックメッセージを受信するステップ（１３０８）と、
前記フィードバックメッセージに応答して、前記フィードバックメッセージ（ＮＡＣＫ、ＮＡＣＫ−Ｈ）を受信してから第１（ＴSｙｎｃ）または第２（ＴＨａｌｔ）の所定の期間後に再送データパケットを前記受信エンティティに送信するステップ（１３１１、１３１２）と、
を実行し、
前記フィードバックメッセージ（ＮＡＣＫ、ＮＡＣＫ−Ｈ）は、前記フィードバックメッセージを受信してから第１（ＴSｙｎｃ）または第２（ＴＨａｌｔ）の所定の期間後に前記送信データパケットの再送データパケットを送信するか否かを前記送信エンティティに示す、方法。
【請求項１２】
共通レート制御メッセージをスケジューリング関連制御チャネルを介して受信するステップを更に備え、前記共通レート制御メッセージは、前記送信エンティティを含む複数の送信エンティティそれぞれの送信フォーマットコンビネーションサブセットを制限して、前記複数の送信エンティティに共通する最大データレートを定める、請求項１１記載の方法。
【請求項１３】
前記フィードバックメッセージを受信してから第２の所定の期間後に前記受信データパケットの再送データパケットを送信することを示すフィードバックメッセージ（ＮＡＣＫ−Ｈ）を受信すると、所定の時間間隔にわたってデータおよびスケジューリング要求（ＳＲ）の自発送信を停止するステップを更に備える、請求項１１または請求項１２記載の方法。
【請求項１４】
データチャネルを介して送信エンティティから受信エンティティにデータを再送するためにＨＡＲＱプロトコルが使用される無線通信システムにおいてデータ再送の送信タイミングを制御する方法であって、前記送信エンティティは、
前記受信エンティティ（２０４、２０５）からデータパケットを受信するステップ（１３０１）と、
前記受信エンティティ（２０４，２０５）から前記送信データパケットに対するフィードバックメッセージを受信するステップと、
前記フィードバックメッセージ（ＮＡＣＫ）を受信してから第１の所定の期間（ＴSｙｎｃ）後に前記受信エンティティに再送データパケットを送信し、または、前記フィードバックメッセージ（ＮＡＣＫ−Ｈ）に応答して、前記受信データパケットの再送を停止するステップと、
を実行し、
前記フィードバックメッセージ（ＮＡＣＫ、ＮＡＣＫ−Ｈ）は、前記フィードバックメッセージ（ＮＡＣＫ）を受信してから第１の所定の期間（ＴSｙｎｃ）後に前記送信データパケットの再送データパケットを送信すること、または、前記受信データパケットの再送を停止することを前記送信エンティティに示す、方法。
【請求項１５】
前記フィードバックメッセージが前記受信データパケットの再送を停止することを示す場合に、前記受信エンティティに送信されるスケジューリング要求メッセージによって、前記送信データパケットの再送データパケットを送信するためのリソースを要求するステップを更に備える、請求項１４記載の方法。
【請求項１６】
タイムアンドレート制御スケジューリングモード、または、レート制御スケジューリングモードに従って、後の時点に前記送信データパケットの再送データパケットを送信するステップを更に備える、請求項１４記載の方法。
【請求項１７】
データチャネルを介して移動端末から基地局にデータを再送するためにＨＡＲＱプロトコルが使用される無線通信システムにおける基地局であって、
送信エンティティからデータパケットを受信する受信手段と、
データパケットの受信に成功したか否かを判断し、前記データパケットの受信に成功していないと判断された場合に、干渉レベルが所定の閾値レベル以上であるか否かを判断するよう構成される処理手段と、
フィードバックメッセージを生成するフィードバックメッセージ生成手段と、
前記移動端末に前記フィードバックメッセージを送信する送信手段と、を備え、
前記フィードバックメッセージは、前記判断される干渉レベルが前記所定の閾値干渉レベル未満である場合に、前記フィードバックメッセージを受信してから第１の所定の期間後に前記受信データパケットの再送データパケットを送信することを前記移動端末に示し、前記フィードバックメッセージは、前記判断される干渉レベルが前記所定の閾値干渉レベル以上である場合に、前記フィードバックメッセージを受信してから第２の所定の期間後に前記受信データパケットの再送データパケットを送信することを前記移動端末に示す、基地局。
【請求項１８】
データチャネルを介して移動端末から基地局にデータを再送するためにＨＡＲＱプロトコルが使用される無線通信システムにおける基地局であって、
送信エンティティからデータパケットを受信する受信手段と、
データパケットの受信に成功したか否かを判断し、前記データパケットの受信に成功していないと判断された場合に、干渉レベルが所定の閾値レベル以上であるか否かを判断するよう構成される処理手段と、
フィードバックメッセージを生成するフィードバックメッセージ生成手段と、
前記移動端末に前記フィードバックメッセージを送信する送信手段と、を備え、
前記フィードバックメッセージは、前記判断される干渉レベルが前記所定の閾値干渉レベル未満である場合に、前記フィードバックメッセージを受信してから第１の所定の期間後に前記受信データパケットの再送データパケットを送信することを前記移動端末に示し、前記フィードバックメッセージは、前記判断される干渉レベルが前記所定の閾値干渉レベル以上である場合に、前記受信データパケットの再送を停止することを前記移動端末に示す、基地局。
【請求項１９】
請求項１から請求項１０のいずれかに記載の方法を実行するよう構成される、請求項１７または請求項１８記載の基地局。
【請求項２０】
データチャネルを介して移動端末から基地局にデータを再送するためにＨＡＲＱプロトコルが使用される無線通信システムにおける移動端末であって、
前記基地局（２０４、２０５）にデータパケットを送信する送信手段と、
前記基地局から前記送信データパケットに対するフィードバックメッセージを受信する受信手段と、を備え、
前記フィードバックメッセージは、前記フィードバックメッセージを受信してから第１または第２の所定の期間後に前記送信データパケットの再送データパケットを送信するか否かを前記送信エンティティに示し、
前記送信手段は、前記フィードバックメッセージに応答して、前記フィードバックメッセージを受信してから前記第１または第２の所定の期間後に前記基地局に再送データパケットを送信するよう構成される、移動端末。
【請求項２１】
データチャネルを介して移動端末から基地局にデータを再送するためにＨＡＲＱプロトコルが使用される無線通信システムにおける移動端末であって、
前記基地局（２０４、２０５）にデータパケットを送信する送信手段と、
前記基地局（２０４、２０５）から前記送信データパケットに対するフィードバックメッセージを受信する受信手段と、を備え、
前記フィードバックメッセージ（ＮＡＣＫ、ＮＡＣＫ−Ｈ）は、前記フィードバックメッセージ（ＮＡＣＫ）を受信してから第１の所定の期間（ＴSｙｎｃ）後に前記送信データパケットの再送データパケットを送信すること、または、前記受信データパケットの再送を停止することを前記移動端末に示し、
前記送信手段は、前記フィードバックメッセージ（ＮＡＣＫ）を受信してから第１の所定の期間（ＴSｙｎｃ）後に前記基地局に再送データパケットを送信し、または、前記フィードバックメッセージ（ＮＡＣＫ−Ｈ）に応答して、前記受信データパケットの再送を停止するよう構成される、移動端末。
【請求項２２】
請求項１１から請求項１６のいずれかに記載の方法を実行するよう構成される、請求項２０または請求項２１記載の移動端末。
【請求項２３】
データチャネルを介して移動端末から基地局にデータを再送するためにＨＡＲＱプロトコルが使用される無線通信システムであって、請求項１７から請求項１９のいずれかに記載の少なくとも一つの基地局と、請求項２０から請求項２２のいずれかに記載の少なくとも一つの移動端末とを備える、無線通信システム。
【発明の詳細な説明】
【技術分野】
【０００１】
本発明は、データチャネルを介して送信エンティティから受信エンティティにデータを再送するためにＨＡＲＱ再送プロトコルが使用される無線通信システムにおいてデータ再送の再送タイミングを制御する方法に関する。本発明は、更に、本発明を用いる基地局、移動局および通信システムに関する。
【背景技術】
【０００２】
Ｗ−ＣＤＭＡ（広帯域符号分割多元接続）は、第３世代無線移動体通信システムとしての使用に標準化されたＩＭＴ−２０００（国際移動体通信）の無線インタフェースであり、柔軟且つ効率的な方法で音声サービスやマルチメディア移動体通信サービス等の各種サービスを提供する。日本、欧州、米国および他国における標準化機構は、Ｗ−ＣＤＭＡについての共通の無線インタフェース仕様を作成するべく、第３世代パートナーシッププロジェクト（３ＧＰＰ）と呼ばれるプロジェクトを合同で組織した。
【０００３】
ＩＭＴ−２０００の標準化欧州版は、一般的にＵＭＴＳ（ユニバーサル移動体通信システム）と呼ばれる。ＵＭＴＳの仕様の最初のリリースは、１９９９年（リリース９９）に発行された。一方、リリース４およびリリース５においては、標準に対する幾つかの改良が３ＧＰＰによって標準化され、リリース６の範囲においては、更なる改良に関する議論が行われている。
【０００４】
ダウンリンクおよびアップリンクの個別チャネル（ＤＣＨ）、並びにダウンリンク共有チャネル（ＤＳＣＨ）は、リリース９９およびリリース４において定められている。その翌年以降、開発者らは、マルチメディアサービスまたはサービス全般を提供するために、高速非対称アクセスが実行されなくてはならないことを認識した。リリース５では、高速ダウンリンクパケットアクセス（ＨＳＤＰＡ）が導入されている。この新しい高速ダウンリンク共有チャネル（ＨＳ−ＤＳＣＨ）は、ＵＭＴＳ無線アクセスネットワーク（ＲＡＮ）から、ＵＭＴＳ仕様においてユーザ機器と呼ばれる通信端末までのダウンリンク高速アクセスをユーザに提供する。
【０００５】
ハイブリッドＡＲＱ方式
非リアルタイムサービスの誤り検出の最も一般的な技法は、前方誤り訂正（ＦＥＣ）と組み合わせた自動再送要求（ＡＲＱ）方式、いわゆるハイブリッドＡＲＱに基づく。巡回冗長検査（ＣＲＣ）が誤りを検出した場合、受信器は追加ビットまたは新しいデータパケットを送るよう送信器に要求する。別の既存の方式より、ストップアンドウェイト（ＳＡＷ）および選択再送（ＳＲ）連続ＡＲＱが移動体通信において最も頻繁に使用されている。
【０００６】
データユニットは、送信前に符号化される。再送されるビットによって、三つの異なるタイプのＡＲＱが定められる。
【０００７】
ＨＡＲＱタイプＩでは、受信した誤りのあるデータパケット、いわゆるＰＤＵ（パケットデータユニット）は廃棄され、当該ＰＤＵの新しいコピーが別途再送、復号化される。当該ＰＤＵの古いバージョンおよび新しいバージョンが合成されることはない。ＨＡＲＱタイプＩＩを用いると、再送される必要のある誤りのあるＰＤＵは廃棄されず、後の復号化のために送信器により供給される幾らかの増加冗長性（incremental redundancy）ビットと合成される。再送ＰＤＵは、より高い符号化率を有することがあり、受信器で記憶された値と合成される。つまり、再送毎に僅かに冗長性が加えられる。
【０００８】
最後に、ＨＡＲＱタイプＩＩＩはタイプＩＩと略同じパケット再送方式であるが、全ての再送ＰＤＵが自己復号化可能である。つまり、ＰＤＵは、前のＰＤＵと合成されることなく復号化可能であることを意味する。複数のＰＤＵが極度に損傷を受けて再利用可能な情報が殆どない場合、自己復号化可能なパケットを有利に使用することができる。
【０００９】
チェイス合成を用いる場合、再送パケットは同一のシンボルを有する。この場合、多数の受信パケットはシンボル毎に、またはビット毎に合成される（非特許文献１参照）。これら合成された値はそれぞれのＨＡＲＱ処理のソフトバッファに記憶される。
【００１０】
パケットスケジューリング
パケットスケジューリングは、共有媒体への参入を許可されたユーザに対して送信機会および送信フォーマットを割り当てるのに使用される無線リソース管理アルゴリズムである。スケジューリングは、パケットベースの移動体無線ネットワークにおいて、スループット／容量を最大化するために適応変調符号化と組み合わせて使用することができる（例えば望ましいチャネル条件のユーザに送信機会を割り当てることにより）。ＵＭＴＳにおけるパケットデータサービスは、ストリーミングサービスにも使用され得るが、双方向および背景のトラフィッククラスに対しても適用可能である。双方向クラスおよび背景クラスに属するトラフィックは、非リアルタイム（ＮＲＴ）トラフィックとして扱われ、パケットスケジューラによって制御される。パケットスケジューリング方法は下記によって特徴付けられる。
【００１１】
●スケジューリング期間／頻度：ユーザが時間的に前もってスケジューリングされる期間
●サービスの順番：ユーザがサービスを受ける順番（例えば、ランダムな順番（ラウンドロビン）またはチャネル品質（Ｃ／Ｉまたはスループットに基づく）に従う）
●割り当て方法：リソースを割り当てる基準（例えば、キューに入れられた全てのユーザに対し、割り当て間隔当たり同じデータ量、または同じ電力／符号／時間リソース）
【００１２】
アップリンクのパケットスケジューラは、３ＧＰＰ  ＵＭＴＳ  Ｒ９９／Ｒ４／Ｒ５では無線ネットワークコントローラ（ＲＮＣ）とユーザ機器との間で分配される。アップリンク上では、異なるユーザによって共有されるべきエアインタフェースリソースは、ノードＢ（Node B）での合計受信電力であり、従って、スケジューラのタスクは電力をユーザ機器間で割り当てることである。現在のＵＭＴＳ  Ｒ９９／Ｒ４／Ｒ５仕様において、ＲＮＣは、各ユーザ機器に異なるトランスポートフォーマット（変調方式、符号化率等）のセットを割り当てることでアップリンク送信中にユーザ機器が送信することができる最大レート／電力を制御する。
【００１３】
このようなＴＦＣＳ（トランスポートフォーマットコンビネーションセット）の確立および再設定は、ＲＮＣとユーザ機器との間の無線リソース制御（ＲＲＣ）メッセージングを用いて実現される。ユーザ機器は、割り当てられたトランスポートフォーマットコンビネーションの中から、自身の状態、例えば、利用可能な電力およびバッファ状態に基づいて自発的に（autonomously）選択することができる。現在のＵＭＴＳ  Ｒ９９／Ｒ４／Ｒ５仕様では、ユーザ機器のアップリンク送信に課せられる時間の制御はない。スケジューラは、例えば、送信時間間隔（transmission time interval）に基づいて動作することができる。
【００１４】
ＵＭＴＳ構成
ユニバーサル移動体通信システム（ＵＭＴＳ）の高レベルＲ９９／４／５構成は図１に示される（http://www.3gpp.orgから入手可能な非特許文献２参照）。ネットワーク要素は、コアネットワーク（ＣＮ）１０１と、ＵＭＴＳ地上無線アクセスネットワーク（ＵＴＲＡＮ）１０２と、ユーザ機器（ＵＥ）１０３とに機能的にグループ化される。ＵＴＲＡＮ１０２は、全ての無線関連機能を取り扱う役割を担い、ＣＮ１０１は外部ネットワークに呼およびデータ接続をルーティングする役割を担う。これらネットワーク要素の相互接続は、オープンインタフェース（Ｉｕ、Ｕｕ）によって定められる。ＵＭＴＳシステムがモジュール式であるため、同じタイプのネットワーク要素を数個有することが可能であることに注意する。
【００１５】
図２は、ＵＴＲＡＮの現在の構成を例示する。幾つかの無線ネットワークコントローラ（ＲＮＣ）２０１、２０２がＣＮ１０１に接続されている。各ＲＮＣ２０１、２０２は、一つのあるいは幾つかの基地局（ノードＢ）２０３、２０４、２０５、２０６を制御し、これらはユーザ機器と通信する。幾つかの基地局を制御するＲＮＣは、当該基地局に対するコントローリングＲＮＣ（Ｃ−ＲＮＣ）と呼ばれる。Ｃ−ＲＮＣを伴って制御される基地局のセットは、無線ネットワークサブシステム（ＲＮＳ）２０７、２０８と呼ばれる。ユーザ機器とＵＴＲＡＮとの間の各接続に対して、一方のＲＮＳがサービングＲＮＳ（Ｓ−ＲＮＳ）となる。Ｓ−ＲＮＳはコアネットワーク（ＣＮ）１０１とのいわゆるＩｕ接続を維持する。図３に示すように、必要な場合には、ドリフトＲＮＳ（Ｄ−ＲＮＳ）３０２が、無線リソースを供給することでサービングＲＮＳ（Ｓ−ＲＮＳ）３０１をサポートする。それぞれのＲＮＳは、サービングＲＮＣ（Ｓ−ＲＮＣ）、およびドリフトＲＮＣ（Ｄ−ＲＮＣ）と呼ばれる。Ｃ−ＲＮＣおよびＤ−ＲＮＣは同一であることが可能であり、またしばしばそうであるため、Ｓ−ＲＮＣまたはＲＮＣの略記が使用される。
【００１６】
拡張アップリンク個別チャネル（Ｅ−ＤＣＨ）
個別トランスポートチャネル（ＤＴＣＨ）のアップリンクエンハンスメントは、現在３ＧＰＰ技術仕様グループＲＡＮによって研究されている（http://www.3gpp.orgから入手可能な非特許文献３参照）。ＩＰベースのサービスの使用がより重要になるため、ＲＡＮの受信可能範囲（coverage）およびスループットを改善し、アップリンク個別トランスポートチャネルの遅延を減少させる要求が高まってきている。ストリーミング、双方向および背景のサービスは、この拡張アップリンクから得られるであろう。
【００１７】
一つの拡張は、ノードＢ制御（Node B controlled）スケジューリングと関連して適応変調符号化方式（ＡＭＣ）を使用することであり、従って、Ｕｕインタフェースの拡張である。既存のＲ９９／Ｒ４／Ｒ５システムでは、アップリンクの最大データレート制御はＲＮＣにある。ノードＢにおけるスケジューラを再配置することにより、ＲＮＣとノードＢとの間のインタフェース上でのシグナリングにより生ずる待ち時間が縮小され、それにより、スケジューラはアップリンク負荷の時間的な変化により迅速に応答することができる。これにより、ＲＡＮとのユーザ機器の通信における全体的な待ち時間が縮小される。従って、ノードＢ制御スケジューリングは、アップリンク負荷が減少した際にはより高いデータレートを迅速に割り当てて、アップリンク負荷が増加した際にはアップリンクデータレートを制限することで、アップリンク干渉をより良く制御し、ノイズ上昇の変動を平滑にすることができる。受信可能範囲およびセルスループットは、アップリンク干渉をより良く制御することで改善される。
【００１８】
アップリンク上の遅延を減少させるために考えられる別の技法は、他のトランスポートチャネルと比べて短いＴＴＩ（送信時間間隔）の長さをＥ−ＤＣＨに導入することである。Ｅ−ＤＣＨでの使用に関して、現在、２ｍｓの送信時間間隔の長さが調べられており、他のチャネルでは、一般に、１０ｍｓの送信時間間隔が使用されている。ＨＳＤＰＡにおける重要な技術の一つであるハイブリッドＡＲＱも拡張アップリンク個別チャネルのために考慮されている。ノードＢとユーザ機器との間のハイブリッドＡＲＱプロトコルは、誤りのある受信データユニットを迅速に再送することを可能にし、従って、ＲＬＣ（無線リンク制御）再送の回数および関連する遅延を減少させる。これにより、エンドユーザが経験するサービスの品質が改善され得る。
【００１９】
上述の拡張をサポートするために、以下ではＭＡＣ−ｅｕと呼ばれる新しいＭＡＣサブレイヤが導入される（非特許文献４参照）。以下により詳細に説明する新しいサブレイヤのエンティティは、ユーザ機器およびノードＢに配置することができる。ユーザ機器側では、ＭＡＣ−ｅｕは、上位レイヤデータ（例えば、ＭＡＣ−ｄ）をその新しい拡張トランスポートチャネルに多重化するとともにＨＡＲＱプロトコル送信エンティティを動作させる新しいタスクを実行する。
【００２０】
ユーザ機器におけるＥ−ＤＣＨ  ＭＡＣ構成
図４は、ユーザ機器側での典型的なＥ−ＤＣＨ  ＭＡＣ構成全体を示す。新しいＭＡＣ機能エンティティつまりＭＡＣ−ｅｕ５０３がＲｅｌ／９９／４／５のＭＡＣ構成に追加される。ＭＡＣ−ｅｕ５０３エンティティは図５により詳細に示される。
【００２１】
ユーザ機器からノードＢに送信されるべきデータパケットを搬送するＭ個の異なるデータフロー（ＭＡＣ−ｄ）が存在する。これらのデータフローは、異なるＱｏＳ（サービス品質）、例えば、遅延および誤りについての要件を有してもよく、ＨＡＲＱインスタンスの異なる構造を必要とし得る。従って、データパケットは、異なる優先度キューに記憶され得る。ユーザ機器およびボードＢにそれぞれ位置するＨＡＲＱ送受信エンティティのセットはＨＡＲＱ処理と称される。スケジューラは、異なる優先度キューにＨＡＲＱ処理を割り当てる際にＱｏＳパラメータを考慮する。ＭＡＣ−ｅｕエンティティは、レイヤ１シグナリングを介してノードＢ（ネットワーク側）からスケジューリング情報を受信する。
【００２２】
ＵＴＲＡＮにおけるＥ−ＤＣＨ  ＭＡＣ構成
ソフトハンドオーバ動作では、ＵＴＲＡＮ側のＥ−ＤＣＨ  ＭＡＣ構成におけるＭＡＣ−ｅｕエンティティはノードＢ（ＭＡＣ−ｅｕｂ）およびＳ−ＲＮＣ（ＭＡＣ−ｅｕｒ）にわたって分配される。ノードＢ内のスケジューラは、アクティブユーザを選択し、命令されたレート、提示されたレート、または、送信に許可されるＴＣＦＳ（トランスポートフォーマットコンビネーションセット）のサブセットにアクティブユーザ（ＵＥ）を制限するＴＦＣ（トランスポートフォーマットコンビネーション）閾値を決定しシグナリングすることで、レート制御を実行する。
【００２３】
各ＭＡＣ−ｅｕエンティティが一つのユーザ（ＵＥ）に対応する。図６では、ノードＢのＭＡＣ−ｅｕ構成がより詳細に示される。各ＨＡＲＱ受信器エンティティには、未着の（outstanding）再送からのパケットのビットを合成するために一定量または一定領域のソフトバッファメモリが割り当てられることに注意する。一旦パケットの受信が成功すると、パケットは、上位レイヤへの順番通りの配信（in-sequence delivery）を提供する並べ替えバッファに送られる。記載した実施態様によると、ソフトハンドオーバ中、並べ替えバッファはＳ−ＲＮＣに存在する（http://www.3gpp.orgから入手可能な非特許文献５参照）。図７では、対応するユーザ（ＵＥ）の並べ替えバッファを備えるＳ−ＲＮＣ  ＭＡＣ−ｅｕ構成が示される。並べ替えバッファの数は、ユーザ機器側の対応するＭＡＣ−ｅｕエンティティにおけるデータフローの数に等しい。データおよび制御情報は、ソフトハンドオーバ中、アクティブセット内の全てのノードＢからＳ−ＲＮＣに送られる。
【００２４】
必要なソフトバッファサイズが使用ＨＡＲＱ方式に依存すること、例えば、増加冗長性（ＩＲ）を用いるＨＡＲＱ方式がチェイス合成（ＣＣ）を用いるものよりも多くのソフトバファを必要とすることに注意する。
【００２５】
Ｅ−ＤＣＨシグナリング
特定の方式の動作に必要なＥ−ＤＣＨに関連する制御シグナリングは、アップリンクおよびダウンリンクのシグナリングを含む。シグナリングは、考慮されるアップリンクエンハンスメントに依存する。
【００２６】
ノードＢ制御スケジューリング（例えば、ノードＢ制御タイムアンドレートスケジューリング（time and rate scheduling））を可能にするために、ユーザ機器は、データをノードＢに送信するためにアップリンクで何らかの要求メッセージを送らなくてはならない。要求メッセージは、ユーザ機器の状態情報、例えば、バッファ状態、電力状態、チャネル品質推定値等を含む。要求メッセージは、以下ではスケジューリング情報（ＳＩ）と称される。当該情報に基づいて、ノードＢはノイズ上昇を推定し、ＵＥをスケジューリングすることができる。ノードＢからＵＥにダウンリンクで許可メッセージが送られると、ノードＢはＵＥが送ることができる最大データレートおよび時間間隔のＴＦＣＳをＵＥに割り当てる。許可メッセージは、以下ではスケジューリング割り当て（ＳＡ）と称される。
【００２７】
アップリンクでは、ユーザ機器は、送信パケットを正しく復号化するために必要なレートインジケータメッセージ情報、例えば、トランスポートブロックサイズ（ＴＢＳ）、変調符号化方式（ＭＣＳ）レベル等をノードＢにシグナリングしなくてはならない。更に、ＨＡＲＱが使用される場合、ユーザ機器は、ＨＡＲＱに関連する制御情報をシグナリングしなくてはならない（例えば、ハイブリッドＡＲＱ処理番号、ＵＭＴＳリリース５では新規データインジケータ（ＮＤＩ：New Data Indicator）と称されるＨＡＲＱシーケンス番号、冗長バージョン（ＲＶ）、レートマッチングパラメータ等）。
【００２８】
拡張アップリンク個別チャネル（Ｅ−ＤＣＨ）で送信されたパケットの受信および復号化の後、ノードＢは、ダウンリンクでそれぞれＡＣＫ／ＮＡＫを送ることで送信が成功したか否かをユーザ機器に通知しなくてはならない。
【００２９】
Ｅ−ＤＣＨ  −  ノードＢ制御スケジューリング
ノードＢ制御スケジューリングは、アップリンクにおいてより高いセルスループットを提供し、受信可能範囲を拡大させるために、アップリンク電力リソースのより効率的な使用を可能にすることが見越される、Ｅ−ＤＣＨの技術的特徴の一つである。「ノードＢ制御スケジューリング」なる用語は、ＲＮＣによって設定される制限内で、ＵＥが好適なＴＦＣを選択することができるＴＦＣのセットをノードＢが制御する可能性を意味する。ＵＥが一つのＴＦＣを自発的に選択するＴＦＣのセットは、以下では「ノードＢ制御ＴＦＣサブセット」と呼ばれる。「ノードＢ制御ＴＦＣサブセット」は、図８に示されるように、ＲＮＣによって設定されるＴＦＣＳのサブセットである。ＵＥは、リリース５  ＴＦＣ選択アルゴリズムを用いて「ノードＢ制御ＴＦＣサブセット」から好適なＴＦＣを選択する。十分な電力マージンおよび十分な利用可能なデータがあり、且つ、ＴＦＣがブロックされた状態でないことを前提として、「ノードＢ制御ＴＦＣサブセット」内のどのＴＦＣがＵＥによって選択されてもよい。Ｅ−ＤＣＨについてのＵＥ送信をスケジューリングするために二つの基本的なアプローチがある。全てのスケジューリング方式は、ＵＥにおけるＴＦＣ選択の管理として見ることができ、ノードＢが当該処理および関連するシグナリング要件にどのように影響を及ぼし得るかという点が主に異なる。
【００３０】
ノードＢ制御レートスケジューリング
このスケジューリングアプローチの原理は、高速ＴＦＣＳ制限制御によってユーザ機器のトランスポートフォーマットコンビネーション選択を制御し制限することをノードＢにさせることである。ノードＢは、ユーザ機器が好適なトランスポートフォーマットコンビネーションを自発的に選択することができる「ノードＢ制御サブセット」を、レイヤ１シグナリングによって拡大／縮小することができる。ノードＢ制御レートスケジューリング（rate scheduling）では、全てのアップリンク送信は並行に行われ得るが、ノードＢにおけるノイズ上昇閾値を超えない十分に低いレートで行われる。それにより、異なるユーザ機器からの送信が時間的に重複し得る。レートスケジューリングでは、ノードＢは、アップリンクＴＦＣＳだけを制限することができ、ＵＥがＥ−ＤＣＨ上でデータを送信する時間については制御しない。同時送信するＵＥの数をノードＢが認識しないため、セルにおけるアップリンクノイズ上昇の精確な制御が可能ではない（http://www.3gpp.orgから入手可能な非特許文献３のバージョン１．０．０参照）。
【００３１】
ノードＢとユーザ機器との間のレイヤ１シグナリングによるトランスポートフォーマットコンビネーション制御を可能にするために二つの新しいレイヤ１メッセージが導入される。レート要求（ＲＲ）は、ユーザ機器からノードＢにアップリンクで送られる。ＲＲにより、ユーザ機器は、「ノード制御ＴＦＣサブセット」を一ステップ拡大／縮小するようノードＢに要求することができる。更に、レート許可（ＲＧ）は、ノードＢからユーザ機器にダウンリンクで送られる。ＲＧにより、ノードＢは、例えばアップ／ダウンコマンドを送ることで「ノードＢ制御ＴＦＣサブセット」を変更することができる。新しい「ノードＢ制御ＴＦＣサブセット」は、次に更新されるまで有効である。
【００３２】
ノードＢ制御タイムアンドレートスケジューリング
ノードＢ制御タイムアンドレートスケジューリングの基本原理は、ノードＢにおける所望の合計ノイズ上昇を超えないように、所与の時間にユーザ機器のサブセットが送信することを（理論的にのみ）可能にすることにある。「ノードＢ制御ＴＦＣサブセット」を一ステップ拡大／縮小するためにアップ／ダウンコマンドを送る代わりに、ノードＢは、明示的なシグナリングを通じて、例えばＴＦＣＳインジケータ（ポインタでもよい）を送ることで、トランスポートフォーマットコンビネーションサブセットを任意の許可された値に更新することができる。
【００３３】
更に、ノードＢはユーザ機器が送信することを許可される開始時間および有効期間を設定することができる。異なるユーザ機器に対する「ノードＢ制御ＴＦＣサブセット」の更新は、多数のユーザ機器からの送信が時間的に重複することを可能な限り回避するために、スケジューラによって調整することができる。ＣＤＭＡシステムのアップリンクにおいて、同時送信は常に互いと干渉し合う。従って、Ｅ−ＤＣＨ上でデータを同時に送信するユーザ機器の数を制御することで、ノードＢは、セルにおけるアップリンク干渉レベルをより精確に制御することができる。ノードＢのスケジューラは、例えば、ユーザ機器のバッファ状態、ユーザ機器の電力状態、およびノードＢにおける利用可能な全受信干渉電力（ＲｏＴ）マージン（interference Rise over Thermal margin）に基づいて、送信時間間隔（ＴＴＩ）当たり送信することが許可されるユーザ機器と、対応するＴＦＣＳインジケータとを決定することができる。
【００３４】
二つの新しいレイヤ１メッセージは、ノードＢ制御タイムアンドレートスケジューリングをサポートするために導入される。スケジューリング情報更新（ＳＩ）は、ユーザ機器からノードＢにアップリンクにおいて送ることができる。ユーザ機器がノードＢにスケジューリング要求を送る必要性があると判断すると（例えば、ユーザ機器のバッファで新規データが発生する）、ユーザ機器は必要なスケジューリング情報を送信する。このスケジューリング情報を用いて、ユーザ機器は、その状態、例えば、そのバッファ占有率および利用可能な送信電力に関する情報をノードＢに提供する。
【００３５】
スケジューリング割り当て（ＳＡ）は、ノードＢからユーザ機器にダウンリンクで送信することができる。スケジューリング要求を受信すると、ノードＢは、スケジューリング情報（ＳＩ）と、ノードＢでの利用可能なＲｏＴマージン等のパラメータとに基づいて、ユーザ機器をスケジューリングすることができる。ノードＢは、スケジューリング割り当て（ＳＡ）において、ＴＦＣＳインジケータ、並びにユーザ機器によって使用されるべき後続の送信の開始時間および有効期間をシグナリングすることができる。
【００３６】
ノードＢ制御タイムアンドレートスケジューリングは、前述したようなレートだけ制御されるスケジューリングと比べてより精確なＲｏＴ制御を提供する。しかしながら、ノードＢにおける干渉のより精確な制御は、レート制御スケジューリングと比べて、より多くのシグナリングオーバーヘッドおよびスケジューリング遅延（スケジューリング要求およびスケジューリング割り当てメッセージ）を費やすことにより得られる。
【００３７】
図９には、ノードＢ制御タイムアンドレートスケジューリングでの一般的なスケジューリング手順が示される。ユーザ機器がＥ−ＤＣＨでのデータの送信にスケジューリングされることを望むとき、最初にスケジューリング要求をノードＢに送る。ここでは、Ｔｐｒｏｐは、エアインタフェース上での伝搬時間を示す。スケジューリング要求の内容物は、例えば、ユーザ機器のバッファ状態および電力状態に関する情報（スケジューリング情報）である。スケジューリング要求を受信すると、ノードＢは得られた情報を処理して、スケジューリング割り当てを決定する。スケジューリングは、処理時間Ｔｓｃｈｅｄｕｌｅを必要とする。
【００３８】
ＴＦＣＳインジケータ並びに対応する送信開始時間および有効期間を含むスケジューリング割り当ては、ダウンリンクにおいてユーザ機器に送信することができる。スケジューリング割り当てを受信すると、ユーザ機器は、割り当てられた送信時間間隔においてＥ−ＤＣＨ上で送信を開始する。
【００３９】
Ｅ−ＤＣＨは、アップリンクでのユーザ機器による他の送信の混合物と共存しなくてはならないため、レートスケジューリングまたはタイムアンドレートスケジューリングのいずれか一方の使用は、利用可能な電力によって制限され得る。異なるスケジューリングモードが共存することにより、異なるトラフィックタイプを提供する際に柔軟性を与えることができる。例えば、少量のデータおよび／またはＴＣＰのＡＣＫ／ＮＡＣＫのようなより高い優先度を有するトラフィックは、タイムアンドレート制御スケジューリングを用いる場合と比べて、自発送信（autonomous transmission）を伴うレート制御モードだけを用いて送られ得る。このようなレート制御モードでは、より少ない待ち時間およびより小さいシグナリングオーバーヘッドを伴う。
【００４０】
Ｅ−ＤＣＨ  −  ハイブリッドＡＲＱ
ノードＢ制御ハイブリッドＡＲＱは、誤りのある受信データパケットの迅速な再送を可能にすることができる。ユーザ機器とノードＢとの間の高速再送は、上位レイヤの再送の回数と関連する遅延とを減少させることができ、それにより、エンドユーザが知覚する品質を改善することができる。
【００４１】
ＨＳＤＰＡのダウンリンクＨＳ−ＤＳＣＨに使用される方式同様に、多数のストップアンドウェイト（ＳＡＷ）ハイブリッドＡＲＱ処理を有するプロトコル構造が、Ｅ−ＤＣＨに使用されるが、アップリンクとダウンリンクとの間の差により動機付けられる適当な変更を必要とする（３ＧＰＰ  ＴＲ２５．８９６参照）。
【００４２】
ＮチャネルＳＡＷ方式は、Ｎ個の並行なＨＡＲＱ処理を含み、各処理はウィンドウサイズ１の選択再送ＡＲＱ（ＳＲ）に相当するストップアンドウェイト再送プロトコルとして機能する。ユーザ機器は各送信時間間隔において単一のＨＡＲＱ処理でのデータの送信しかできないと仮定される。
【００４３】
図１０には、Ｎ＝３のＨＡＲＱ処理を有する典型的なＮチャネルＳＡＷプロトコルが例示される。ユーザ機器は、ノードＢにアップリンクのＥ−ＤＣＨにおいてデータパケット１を送信している。この送信は、第１のＨＡＲＱ処理で行われる。エアインタフェースの伝搬遅延Ｔｐｒｏｐの後、ノードＢはパケットを受信し、復調および復号化を開始する。復号化が成功したか否かによって、ＡＣＫ／ＮＡＣＫがユーザ機器にダウンリンクで送られる。
【００４４】
本実施例では、ノードＢは、ノードＢにおいて受信パケットを復号化し処理するのに必要な時間を示すＴＮＢｐｒｏｃｅｓｓ後にＡＣＫをユーザ機器に送る。ダウンリンクでのフィードバックに基づいて、ユーザ機器は、データパケットを再送するか、新規データパケットを送信するかを決定する。同じＨＡＲＱ処理において応答（ＡＣＫ）を受信して次の送信時間間隔を送信する間にユーザ機器に利用可能な処理時間はＴＵＥｐｒｏｃｅｓｓと称される。
【００４５】
本実施例では、ユーザ機器は、ＡＣＫを受信するとデータパケット４を送信する。ラウンドトリップタイム（ＲＴＴ）は、アップリンクにおけるデータパケットの送信と、当該パケットに対するＡＣＫ／ＮＡＣＫフィードバックを受信した際の、当該パケットの再送または新規データパケットの送信との間の時間を示す。利用可能なＨＡＲＱ処理の欠如による遊休期間（idle period）を回避するために、ＨＡＲＱ処理の数ＮがＨＡＲＱラウンドトリップタイム（ＲＴＴ）と一致することが必要である。
【００４６】
既知および未知の送信タイミングを考慮して、同期および非同期のデータ送信を区別することができる。非同期データ送信を伴う再送プロトコルでは、データブロックまたはＨＡＲＱ処理を識別するために明示的なシグナリングが用いられ、同期データ送信を伴うプロトコルでは、データブロックまたはＨＡＲＱ処理は、データブロックが受信された時点に基づいて識別される。
【００４７】
ＵＥは、例えば、再送の場合にデータパケットの正しい軟合成を確実にするために、非同期送信を伴うプロトコルにおいて明示的にＨＡＲＱ処理番号をシグナリングしなくてはならない。非同期データ送信を伴うＨＡＲＱ再送プロトコルの利点は、システムに与えられる柔軟性である。ノードＢのスケジューラは、例えば、セルにおける干渉状況と、対応するＥ−ＤＣＨサービスの優先度またはＱｏＳパラメータのようなパラメータとに基づいて、Ｅ−ＤＣＨでのデータ送信のための期間およびＨＡＲＱ処理をＵＥに割り当てることができる。
【００４８】
非同期ＨＡＲＱフィードバック情報を有する再送プロトコルは、シーケンス番号（ＳＮ）、またはフィードバックメッセージの他の明示的な識別情報を用いる一方、同期ＨＡＲＱフィードバック情報を有するプロトコルは、例えばＨＳＤＰＡにおけるように、フィードバックメッセージの受信時間に基づいてフィードバックメッセージを識別する。フィードバックは、ＨＳ−ＤＳＣＨを受信して一定の時刻が経過した後にＨＳ−ＤＰＣＣＨで送られてもよい（http://www.3gpp.orgから入手可能な非特許文献６参照）。
【００４９】
前述したとおり、非同期データ送信を伴う再送プロトコルにより、ノードＢは、スケジューリングについて更なる柔軟性を有することができる。スケジューリング割り当ては、例えば、ＵＥから送られるスケジューリング情報、およびセルにおける干渉状況に基づくことができる。ノードＢのスケジューラによるアップリンク干渉の更なる制御を可能にするために、再送に配慮した様々なスケジューリングアプローチを考慮しなくてはならない（http://www.3gpp.orgから入手可能な例えば非特許文献７参照）。
【００５０】
出願人による同時係属欧州出願「同期再送を伴うＨＡＲＱプロトコル」（２００３年１２月１９日出願の特許文献１）に開示されている非同期アップリンクで同期再送を伴う再送プロトコルは、一つのアプローチであり、それにより、スケジューラはセルにおけるノイズ上昇を一層制御することができる。Ｅ−ＤＣＨでの新規データパケットの送信は、スケジューリングの柔軟性という利点を維持するために非同期により行われるが、再送はＮＡＣＫを受信してから所定時刻後に行われる。同期再送を伴う再送プロトコルの利点は、使用されるスケジューリングモードにも依存し得る。
【００５１】
レート制御スケジューリングモード（rate controlled scheduling mode）では、ノードＢはＴＦＣＳだけを制御することができ、ＵＥはアップリンク送信に対する適当なＴＦＣを選択する。ノードＢはＵＥの送信時間を制御することができない。また、ＵＥの再送タイミングについての制約もない。同期再送を伴う再送プロトコルを用いると、ノードＢは、ＵＥがいつ再送を送るかを正確に知ることができ、従って、アップリンクリソースを確保することができる。後者により、ノードＢは、セルにおけるアップリンク干渉をより精確に制御できるようになる。
【００５２】
タイムアンドレート制御スケジューリングモード（time and rate controlled scheduling mode）では、ノードＢは、データパケットの初回送信、およびそれに関連する再送をスケジューリングする。再送が同期式に送られる場合、ノードＢは、再送をスケジューリングする必要をなくすことができるため、シグナリングオーバーヘッド、およびノードＢ内のスケジューラの処理時間が著しく削減される。図１１には、タイムアンドレート制御スケジューリングモードにおけるＥ−ＤＣＨでの送信が示される。再送は、ＮＡＣＫを受信してからＴSｙｎｃ後に送られる。従って、ＵＥは、再送のためにスケジューリング割り当て（ＳＡ）の許可チャネルを監視する必要がない。
【００５３】
このシナリオでは再送が常にＮＡＣＫを受信してから送られる（ＴSｙｎｃ）ため、ＵＥ側では遅延による利点が得られる。再送もスケジューリングされる場合、ノードＢは保留中の再送をスケジューリングする代わりに他のＵＥに送信リソースを割り当てることができる。
【００５４】
前述したとおり、非同期データ送信および所定時刻後の同期再送を伴うＨＡＲＱ再送プロトコルは、例えばＥ−ＤＣＨでの送信のために想定される。
【００５５】
同期再送を伴う再送プロトコルから得られる思想および恩恵は、前項で説明している。しかしながら、幾つかの状況では、同期再送は問題を生ずる場合がある。
【００５６】
セルにおける干渉状況が膨大なトラフィックにより危機的な状態となると、多くの送信が誤って受信される可能性が高い。従って、幾つかの同時Ｅ−ＤＣＨ送信は、結果として対応する数の再送を生ずる。同期再送を伴うＨＡＲＱプロトコルを用いる際、ノードＢは再送タイミングを制御できないため、これは深刻な問題を引き起こし得る。ＣＤＭＡシステムのアップリンクでは同時送信は互いと干渉し合うため、特定の時刻に多数の再送があるとセル内のアップリンク干渉が増大する。
【００５７】
更に、ＵＥは、パケットの送信を成功させるために、セル内の大きな干渉の結果として、再送の電力を増大することがある。これは、アップリンクのノイズ上昇を更に増大させる。システムスループットを最大化するためには、最大セル負荷の近くで動作することがＣＤＭＡにおいて有利である。しかしながら、これは、干渉の高速変化中に輻輳および不安定性を生じさせ得る。
【００５８】
別のシナリオでは、高干渉レベルにより再送と並行に送ることができない高優先度データを他のＵＥが送信しなくてはならない状況もある。
【特許文献１】欧州特許出願第０３０２９４１１．０号
【非特許文献１】D. Chase, "Code combining: A maximum-likelihood decoding approach for combining an arbitrary number of noisy packets", IEEE Transactions on Communications, Col. COM-33, pages 385-393, May 1985
【非特許文献２】3GPP TR 25.401: "UTRAN Overall Description"
【非特許文献３】3GPP TR 25.896: "Feasibility Study for Enhanced Uplink for UTRA FDD (Release 6)"
【非特許文献４】3GPP TSG RAN WG1, meeting #31, TdocR01-030284, "Scheduled and Autonomous Mode Operation for the Enhanced Uplink"
【非特許文献５】3GPP TSG RAN WG1, meeting #31, "HARQ Structure", Tdoc R1-030247
【非特許文献６】3GPP TR 25.848: "Physical Layer Aspects of High Speed Downlink Packet Access", version 5.0.0
【非特許文献７】3GPP TSG TAN WG1#35, "Relationship between scheduling and HARQ", Tdoc R1-031224
【発明の開示】
【００５９】
本発明は、前述の問題を少なくとも一つ克服するためにデータ再送のタイミング制御を提供することを目的とする。
【００６０】
この目的は、独立請求項の内容によって解決される。本発明の好適な実施の形態は従属請求項の内容である。
【００６１】
本発明の一態様によると、干渉が危機的な状況における同期再送の問題は、ノードＢからダウンリンクにおいてＵＥに送られる追加的なフィードバックにより緩和される。再送のスケジューリングに関するこのフィードバック情報は、ＨＡＲＱフィードバック情報と統合され得る。
【００６２】
本発明の実施の形態によると、無線通信システムにおいてデータ再送の送信タイミングを制御する方法を提供する。この無線通信システムにおいて、データチャネルを介して送信エンティティから受信エンティティにデータを再送するためにＨＡＲＱプロトコルが使用される。受信エンティティは、送信エンティティからデータパケットを受信することができ、データパケットの受信に成功したか否か判断することができる。例えば、セル内の干渉が危機的な状況では、異なるＵＥからの多数のデータパケットの受信に成功しない可能性が高い。これらのＵＥが同期再送を行う場合、セルにおいて比較的高い干渉レベルが、再送の送信時に生ずるであろう。
【００６３】
データパケットの受信に成功していないと判断される場合、受信エンティティは、干渉レベルが所定の閾値干渉レベル以上か否かを判断することができる。例えば、アップリン干渉レベルが測定され得る。更なる実施の形態によると、予測される再送の回数が、再送処理を停止してその後の所定の時点で再送データパケットを送信するか否か、または、同期再送を続けるか否かを判断する指標としてとられる。
【００６４】
次に、受信エンティティはフィードバックメッセージを生成することができる。このフィードバックメッセージは、判断される干渉レベルが所定の閾値干渉レベル未満である場合、上記フィードバックメッセージを受信してから第１の所定の期間後に受信データパケットの再送データパケットを送信すること（同期再送）を送信エンティティに示す。
【００６５】
判断される干渉レベルが所定の閾値干渉レベル以上の場合、フィードバックメッセージは、上記フィードバックメッセージを受信してから第２の所定の期間後に受信データパケットの再送データパケットを送信することを送信エンティティに示す。第２の期間は、第１の期間よりも大きい。フィードバックメッセージは、生成されると、送信エンティティに送信される。
【００６６】
本発明の代替的な実施の形態では、受信エンティティは、干渉が危機的な状況では、受信に成功しなていないデータパケットの同期再送を実行してはならず、再送を停止することをフィードバックメッセージにおいて送信エンティティに示すことができる。同期再送を実行する代わりに、上述の第２の所定の時間間隔よりも大きい任意の遅延で送信エンティティから受信エンティティにスケジューリング要求を送信することができる。このスケジューリング要求は、受信に成功していないデータパケットの再送データパケットの送信のためのリソースの要求に用いられる。これは、タイムアンドレート制御スケジューリングモードで特に適用可能である。例えば、レート制御スケジューリングモードで動作される場合、送信エンティティは、上述の第１の所定の時間間隔よりも大きい任意の遅延で自発再送を実行することができる。従って、この代替的な実施の形態では、セル内で干渉が危機的な状況が存在する場合、同期再送の供給を停止することができ、例えば、タイムアンドレート制御スケジューリングモードで動作される場合、再送データのスケジューリングを実行することができる。どちらの再送タイミングを使用すべきかは、受信エンティティによって供給されるフィードバックに示される。
【００６７】
再送データパケットは、受信データパケットの再送でもよい。または、再送データパケットは、一つ以上の再送データパケットを以前に受信に失敗した受信データパケットと軟合成した後に復号化することが可能となるようなより高いレベルの冗長性をその受信データパケットに与える情報だけを有するものであってもよい。
【００６８】
別の実施の形態によると、受信エンティティは、その送信エンティティを含む複数の送信エンティティのデータ送信をスケジューリングすることができる。また、干渉レベルが所定の閾値干渉レベル以上である場合、受信エンティティは、複数の送信エンティティからの新規データ送信のスケジューリングを停止することができる。本実施の形態は、送信エンティティに対するタイムアンドレート制御スケジューリングモードに特に適用可能である。
【００６９】
干渉レベルが所定の干渉レベル未満に低下すると、受信エンティティによるスケジューリングは継続可能である。
【００７０】
上述した通り、「ノードＢ制御ＴＦＣＳ」を制御することでノードＢ制御スケジューリングを実行することができる。本発明の別の実施の形態によると、受信エンティティは、同様のメカニズムを用いてアップリンク干渉を減少させることができる。受信エンティティは、送信エンティティの送信フォーマットコンビネーションサブセットを制御することができ、ここで、この送信フォーマットコンビネーションは、とりわけ、送信エンティティが送信することができるデータ量を決定するものであり、受信エンティティは、判断される干渉レベルが所定の閾値干渉レベル以上である場合には、送信エンティティの送信フォーマットコンビネーションサブセットを制限することができる。本実施の形態は、レート制御スケジューリングモードにおける送信に特に適している。
【００７１】
本発明の別の実施の形態によると、その送信エンティティを含む複数の送信エンティティに受信エンティティから共通レート制御メッセージを送信することができ、この共通レート制御メッセージは、複数の送信エンティティそれぞれの送信フォーマットコンビネーションサブセットを制限し、それにより、自発送信のために、最大データレートを、複数の送信エンティティに共通するデータレートに制限する。
【００７２】
フィードバックメッセージを送信する方法は様々である。干渉レベルを考慮してフィードバックメッセージに導入される追加情報を、ＨＡＲＱフィードバック（ＡＣＫ／ＮＡＣＫ）と統合することができる。例えば、ＨＡＲＱフィードバックに対して、新しいフィードバックフォーマットであるＮＡＣＫ−Ｈを含む別の符号語を使用することができる（例えば下記の表を参照）。
【００７３】
統合されたフィードバック（ＡＣＫ／ＮＡＣＫ／ＮＡＣＫ−Ｈ）を、他のシグナリング情報、例えば、スケジューリング制御シグナリングと統合することもできる。後者の場合、統合されたフィードバックおよび他のシグナリング情報を、一緒に符号化することができる。
【００７４】
別の代替例では、この追加フィードバックを、ＨＡＲＱフィードバック（ＡＣＫ／ＮＡＣＫ）とは異なるＯＶＳＦ符号、即ちチャネルでシグナリングすることができる。
【００７５】
それにより、データパケットの受信成功または失敗を示すフィードバックメッセージは、一つの制御チャネルを介して送信され得る。更に、フィードバックメッセージ内の情報を、スケジューリング関連制御情報と統合することができ、一緒に符号化することができる。
【００７６】
代替的には、本発明の更なる実施の形態は、セルにおける干渉レベルに依存して否定的フィードバックメッセージを拡散する複数の拡散符号、例えば、ＯＶＳＦ符号を使用することを提案する。それにより、フィードバックメッセージを、フィードバックメッセージによって示されるフィードバックタイミングに応答して別のＯＶＳＦ符号を用いて拡散することができる。第２の時間間隔後の再送を示す（または、再送を停止することを示す）追加フィードバックメッセージ（ＮＡＣＫ−Ｈ）は、ＨＡＲＱプロトコルフィードバック情報（ＡＣＫ、ＮＡＣＫ）とは異なる拡散符号、例えば、ＯＶＳＦ符号を用いてシグナリングされ得る。
【００７７】
本発明の別の実施の形態は、無線通信システムにおいてデータ再送の送信タイミングを制御する方法を提供する。この通信システムは、データチャネルを介して送信エンティティから受信エンティティにデータを再送するためにＨＡＲＱプロトコルを使用する。この実施の形態によると、送信エンティティは受信エンティティにデータパケットを送信することができ、送信データパケットに対するフィードバックメッセージを受信エンティティから受信することができる。
【００７８】
このフィードバックメッセージは、フィードバックメッセージを受信してから第１または第２の所定の期間後に送信データパケットの再送データパケットを送信するか否かを送信エンティティに示す。例えば、第２の期間は、第１の期間よりも大きい。
【００７９】
次に、送信エンティティは、フィードバックメッセージに応答して、即ち、最初に送信したデータパケットの受信失敗を示すフィードバックメッセージ内の表示に依存して、フィードバックメッセージを受信してから第１または第２の所定の期間後に再送データパケットを受信エンティティに送信することができ、再送は第１または第２の所定の期間のいずれかが経過してから送信される。
【００８０】
更なる実施の形態では、送信エンティティは、共通レート制御メッセージをスケジューリング関連制御チャネル（scheduling related control channel）を介して受信することができる。共通レート制御メッセージは、その送信エンティティを含む複数の送信エンティティそれぞれの送信フォーマットコンビネーションサブセットを、複数の送信エンティティに共通する自発送信のための最大データレートを可能にする送信フォーマットコンビネーションサブセットに制限するために用いられる。
【００８１】
所定の時間間隔を第２の所定の時間間隔に設定する否定的フィードバックを受信すると、送信エンティティは、セルにおける干渉レベルが危機的であると認識することができる。それにより、セルのノイズ上昇に不必要に寄与しないよう、例えば、所定の時間期間にわたって受信エンティティにデータまたはスケジューリング要求を自発的に送信することができない。即ち、受信エンティティからリソースが許可された場合にのみ、上記フィードバックメッセージを受信してから第２の所定の期間後に受信データパケットの再送データパケットを送信することを示すフィードバックメッセージを受信すると、データパケットおよび／または再送データパケットは送信エンティティによって送信され得る。
【００８２】
別の実施の形態によると、本発明は、データチャネルを介して移動端末から基地局にデータを再送するためにＨＡＲＱプロトコルを用いる無線通信システムにおける基地局を提供する。この基地局は、送信エンティティからデータパケットを受信する受信手段と、受信したデータパケットの受信に成功したか否かを判断する処理手段とを備えることができ、処理手段は、データパケットの受信に成功していないと判断された場合に、干渉レベルが所定の閾値干渉レベル以上であるか否かを判断するよう構成される。
【００８３】
更に、基地局にはフィードバックメッセージを生成するフィードバックメッセージ生成手段が設けられ、このフィードバックメッセージは、判断される干渉レベルが所定の閾値干渉レベル未満である場合に、フィードバックメッセージを受信してから第１の所定の期間後に受信データパケットの再送データパケットを送信することを送信エンティティに示す。判断される干渉レベルが所定の閾値干渉レベル以上の場合、フィードバックメッセージは、上記フィードバックメッセージを受信してから第２の所定の期間後に受信データパケットの再送データパケットを送信すること、または、再送を停止することを送信エンティティに示す。例えば、第２の期間は第１の期間よりも大きい。
【００８４】
更に、基地局は、送信エンティティにフィードバックメッセージを送信する送信手段を備えることができる。
【００８５】
本発明の更なる実施の形態では、受信エンティティに関連する上述の実施の形態による方法を実行するよう構成される基地局が提供される。
【００８６】
本発明の別の実施形態は、データチャネルを介して移動端末から基地局にデータを再送するためにＨＡＲＱプロトコルを用いる無線通信システムにおける移動端末に関する。この移動端末は、受信エンティティにデータパケットを送信する送信手段と、送信データパケットに対するフィードバックメッセージを受信エンティティから受信する受信手段とを備えることができ、このフィードバックメッセージは、フィードバックメッセージを受信してから第１または第２の所定の期間後に送信データパケットの再送データパケットを送信すること、または、再送を停止することを送信エンティティに示す。更に、送信手段は、フィードバックメッセージに応答して、フィードバックメッセージを受信してから第１または第２の所定の期間後に再送データパケットを受信エンティティに送信するよう構成される。
【００８７】
本発明の別の実施の形態では、送信エンティティに関連する上述の実施の形態による方法を実行するよう構成される移動端末が提供される。
【００８８】
更に、別の実施の形態では、データチャネルを介して移動端末から基地局にデータを再送するためにＨＡＲＱプロトコルが使用される無線通信システムを提供する。このシステムは、上述の少なくとも一つの基地局と、少なくとも一つの移動端末とを備えることができる。
【発明を実施するための最良の形態】
【００８９】
以下では、本発明を添付の図面を参照してより詳細に説明する。図中、同様のまたは対応する細部には同じ参照番号が付与される。
【００９０】
前述したとおり、本発明の一態様によると、干渉が危機的な状況における同期再送の問題は、ノードＢからダウンリンクにおいてＵＥに送られる追加フィードバックによって緩和される。
【００９１】
ノードＢによって制御されるセルにおける干渉状況が危機的になると、多数のデータパケット送信が高リンク干渉により誤って受信される場合がある。ノードＢは、同期再送によって生ずるセルにおけるアップリンク干渉レベルの更なる増大に対処することができる。ノードＢでデータパケットが誤って受信され、アップリンク干渉が危機的なレベル、即ち、所定の閾値干渉レベルよりも大きい場合、この新しいフィードバック情報ＮＡＣＫ−Ｈ（ａｌｔ）をノードＢからダウンリンクでＵＥにシグナリングすることができる。
【００９２】
ＮＡＣＫ−Ｈは、ＮＡＣＫのような否定的フィードバックを受信してから所定の時間ＴSｙｎｃ後にパケットの再送を送信（同期再送）せず、パケットを再送する前に更に所定の時間だけ待つことをＵＥに示す。以下に、本発明の実施の形態によるＵＥ挙動およびノードＢ挙動を簡単に説明する。
【００９３】
ノードＢでパケットが誤って受信され、セルにおけるアップリンク干渉状況が危機的であるとき、ノードＢはダウンリンクでＵＥにＮＡＣＫ−Ｈをシグナリングすると判断することができる。当該フィードバックメッセージ内の情報は、同期再送を用いる場合に通常再送が送られる時点よりも後の所定の時点まで、先に送られたパケットの再送を延期することをＵＥに示すものである。
【００９４】
本発明の別の実施の形態では、ＮＡＣＫ−Ｈを送ることに加えて、ノードＢは、セルにおけるノイズ上昇の状況が新しいデータトラフィックを可能にするまで、タイムアンドレート制御モードでスケジューリングが実行される場合、Ｅ−ＤＣＨでの新規データ送信のためのＵＥのスケジューリングを停止することができる。ノードＢは、例えば、ＵＥの自発送信によって生ずるアップリンク干渉を制限するために、更にレート制御スケジューリングモードのために「ノードＢ制御ＴＦＣサブセット」を制限することができる。これは、例えば、セルにおける全てのＵＥのＴＦＣＳを縮小させる共通のレート制御メッセージによって行うことができる。従って、あるＵＥがデータを自発的に送信することができる最大データレートは、セルにおける全てのＵＥに対して制限される。
【００９５】
一旦ＮＡＣＫ−ＨがＵＥによって受信されると、ＵＥは再送を停止することができる。上述の通り、パケットは後の所定の時点に再送され得る。時刻は、例えば、同期再送が行われ得る時点から一ＨＡＲＱ送信周期後とすることができる。例えば、Ｎ＝６チャネルおよび２ｍｓのＴＴＩ長さを有するＮ−ＳＡＷ  ＨＡＲＱプロトコルが使用される場合、一ＨＡＲＱ送信周期は１２ｍｓとすることができる。この例示的な実施の形態では、パケットは、ＮＡＣＫ−Ｈを受信してからＴＨａｌｔ＝ＴSｙｎｃ＋１２ｍｓ後に再送され得る。
【００９６】
有利な実施の形態では、ＴＨａｌｔはＴSｙｎｃより大きいものとすることができる。特に、可能な限り早く再送データを送信することが望ましいため、ＴSｙｎｃは可能な限り小さく維持され得る。
【００９７】
更に、フィードバック情報ＮＡＣＫ−Ｈは、セルにおけるアップリンク干渉状況が危機的であることをＵＥに示すことができる。従って、ＵＥは、レート制御モードでスケジューリングが実行される場合にＥ−ＤＣＨでデータを自発的に送信することができない。または、ＵＥは、追加的なアップリンクトラフィックを回避するために、所定の期間にわたってスケジューリング要求を送信することができない。
【００９８】
図１２には、本発明の実施の形態によるＮＡＣＫ−Ｈ関連シグナリングが示される。再送は、ＮＡＣＫ−Ｈを受信してからＴＨａｌｔ後に再送される。ＴSｙｎｃは、時間を示し、その後に同期再送が行われ得る。ここで重要なことは、時間ＴＨａｌｔは、フィードバックの同期送信を用いる場合に通常はその後で再送が送信される期間ＴSｙｎｃよりも大きい。期間ＴSｙｎｃおよびＴＨａｌｔは、否定的フィードバック受信後の時点を定めるために使用される。即ち、ＴSｙｎｃのＮＡＣＫ、およびＴＨａｌｔのＮＡＣＫ−Ｈは、それぞれ期間ＴSｙｎｃおよびＴＨａｌｔだけ遅延される。
【００９９】
ＵＭＴＳの現在の標準化の進展では、２レベルのフィードバック、即ち、肯定応答と、否定応答（ＮＡＣＫ）とがダウンリンクにおけるＥ−ＤＣＨに対して予測される。１ビットの応答表示を符号化する一つの可能性は、繰り返し（repetition）符号化であり、例えば表示ビットの１０個のコピーである。ＮＡＣＫ−Ｈのための第３のレベルを導入することは、フィードバック情報の信頼性を低下させ得る。
【０１００】
異なるメカニズムを、１ビットのＡＣＫ／ＮＡＣＫ信号を拡張するために使用することができる。例えば、ＡＣＫ／ＮＡＣＫ信号に対して異なる拡散符号、例えば、直交可変拡散率（ＯＶＳＦ：Orthogonal Variable Spreading Factor）符号を用いるという解決策もあろう。この符号の使用は、シグナリングされてもよく、あるいは、予め定められてもよい。ＵＥは、ＨＡＲＱフィードバック情報を得るために全通りのＯＶＳＦ符号を監視し逆拡散することができる。
【０１０１】
本方式の別の具現化では、簡単な繰り返しを用いる代わりにＡＣＫ／ＮＡＣＫ信号に対して異なる符合語を用いることができる。ＡＣＫ／ＮＡＣＫシグナリングの符号語を追加的なＮＡＣＫ−Ｈ信号と用いる例を以下の表に示す。
【０１０２】
【表１】
2007523529.tif 000003
【０１０３】
ＡＣＫ／ＮＡＣＫ−Ｈ／ＮＡＣＫフィードバックを、ダウンリンクにおいて更なる制御信号、例えばスケジューリング関連制御シグナリングと同期して、送ることも可能である。この場合、制御情報は、一緒に符号化され得る。ターボ符号または畳み込み符号のような誤り訂正符号を、制御情報の符号化に適用することができる。
【０１０４】
本発明の更なる実施の形態によると、ＮＡＣＫ−Ｈは、再送を停止するようＵＥに示すことができる。この場合、データパケットは後の所定の時点（ＴＨａｌｔ）に再送されない。初回送信がレート制御スケジューリングモードで実行されていた場合、ＵＥは、後の時点にデータパケットを自発的に再送することができる。データパケットの初回送信がタイムアンドレート制御スケジューリングモードでノードＢによってスケジューリングされていた場合、ＵＥはまず、その送信のためのスケジューリング要求を送信する必要があり、ノードＢはそれに応答して、当該データパケットの送信を再びスケジューリングする。
【０１０５】
図１３は、本発明の実施の形態による再送のタイミングを制御するフロー図である。ステップ１３０１において、移動端末はノードＢにデータパケットを送信する。ステップ１３０２において、ノードＢはデータパケットを受信し、ステップ１３０３においてデータパケットの受信に成功したか否かを判断する。
【０１０６】
データパケットが誤りなく受信された場合、ステップ１３０４において、ノードＢは、受信成功を移動端末に通知する肯定応答ＡＣＫを生成して送信することができる。
【０１０７】
データパケットの送信で誤りが生じた場合、ステップ１３０５において、ノードＢは、セルにおける現在の干渉レベルが所定の閾値干渉レベル以上か否か、即ち、セルにおいて干渉が危機的な状況が存在するか否かを判断する。干渉レベルが閾値未満である場合、ステップ１３０６において、ノードＢは、パケットの受信失敗を示し且つデータパケットの同期再送を要求するＮＡＣＫを移動端末に送信することができる。
【０１０８】
ステップ１３０５において、ノードＢが、セルにおける干渉レベルが閾値以上であると判断した場合、ステップ１３０７において、ＮＡＣＫ−Ｈが生成され、移動端末に送信される。前述の通り、ＮＡＣＫ−Ｈは、移動端末にデータパケットの受信失敗を示し、フィードバックを受信してから再送が発せられるまでの期間を延長するよう移動端末に指示する。
【０１０９】
端末側では、送信データパケットに対するフィードバックメッセージはステップ１３０８において受信される。次に、移動端末は、ステップ１３０９において、どのタイプのフィードバックがノードＢによって送られたかを判断することができる。データパケットがノードＢで正しく受信された場合、ＡＣＫが受信され、移動端末はステップ１３１０においてノードＢに次のデータパケットの送信に進むことができる。
【０１１０】
データパケットの受信が成功でなく、ノードＢのセルにおける干渉レベルが許容可能である場合、ノードＢはＮＡＣＫを発する。移動端末は、ＮＡＣＫが受信されたと判断した場合、ステップ１３１１において、フィードバックを受信してから第１の所定の期間が満了した後、再送データパケットを送る、即ち、同期再送が提供される。
【０１１１】
データパケットの受信が成功でなく、ノードＢのセルにおける干渉レベルが許容可能でない場合、ノードＢはＮＡＣＫ−Ｈを発する。この場合、移動端末は、ステップ１３１２において、フィードバックを受信してから第２の所定の期間が満了した後に再送データパケットを送信する。例えば、図１２に示すように、第２の期間ＴＨａｌｔは、第１の期間ＴSｙｎｃよりも持続時間が長い。
【０１１２】
図中の点状の矢印は、移動端末とノードＢとの間での、データパケットまたはフィードバックメッセージの送信を示し、それらが処理および／または解釈されるブロックに向かっていることに注意する。
【０１１３】
本発明は、同期再送を伴うＨＡＲＱ再送プロトコルが想定される場合に特に適用可能である。更に、本発明は、ＨＡＲＱタイプＩＩおよびタイプＩＩＩ、即ち、データパケットの軟合成および再送を用いるＨＡＲＱに特に適用可能である。
【０１１４】
本発明が、基礎となるアクセスネットワーク構造、例えば、進化型ＵＴＲＡＮ構成またはリリース９９／４／５ＵＴＲＡＮ構成と無関係に用いることもできることに注意する。
【０１１５】
更に、本発明は、本発明の実施の形態によるＥ−ＤＣＨでのデータ送信に用いられることに特に適用可能であることに注意する。
【図面の簡単な説明】
【０１１６】
【図１】ＵＭＴＳの高レベル構成を示す図
【図２】ＵＭＴＳ  Ｒ９９／４／５によるＵＴＲＡＮの構成を示す図
【図３】ドリフトおよびサービング無線サブシステムを示す図
【図４】ユーザ機器におけるＥ−ＤＣＨ  ＭＡＣ構成を示す図
【図５】ユーザ機器におけるＭＡＣ−ｅｕの構成を示す図
【図６】ノードＢにおけるＭＡＣ−ｅｕの構成を示す図
【図７】ＲＮＣにおけるＭＡＣ−ｅｕの構成を示す図
【図８】ノードＢ制御スケジューリングのトランスポートフォーマットコンビネーションセットを示す図
【図９】タイムアンドレート制御スケジューリングモードの動作を示す図
【図１０】３チャネルストップアンドウェイトＨＡＲＱプロトコルの動作を示す図
【図１１】同期再送を用いるＨＡＲＱプロトコルの送信タイミングを示す図
【図１２】本発明の実施の形態によるＮＡＣＫ−Ｈフィードバックメッセージのシグナリングおよび結果として生ずる送信を示す図
【図１３】本発明の実施の形態による再送のタイミングを制御するためのフロー図
【図１】
2007523529.tif 000004
【図２】
2007523529.tif 000005
【図３】
2007523529.tif 000006
【図４】
2007523529.tif 000007
【図５】
2007523529.tif 000008
【図６】
2007523529.tif 000009
【図７】
2007523529.tif 000010
【図８】
2007523529.tif 000011
【図９】
2007523529.tif 000012
【図１０】
2007523529.tif 000013
【図１１】
2007523529.tif 000014
【図１２】
2007523529.tif 000015
【図１３】
2007523529.tif 000016
【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
データチャネルを介する送信エンティティから受信エンティティへの同期再送とともにＨＡＲＱプロトコルが使用される無線通信システムにおいてデータ再送の送信タイミングを制御する、前記受信エンティティにより実行される方法であって、
前記送信エンティティからデータパケットを受信するステップと、
前記受信データパケットの復号化に成功したか否かを判断するステップと、
前記受信データパケットの復号化に成功していないと判断された場合に、前記送信エンティティにフィードバックメッセージを送信するステップと、
前記送信エンティティを含む複数の送信エンティティのデータ送信をスケジューリングするステップと、
前記複数の送信エンティティに共通制御メッセージを送信するステップと、
を有し、
前記フィードバックメッセージは、前記フィードバックメッセージの受信から所定の期間後に前記受信データパケットの再送データパケットを送信するよう前記送信エンティティに示しており、
前記共通制御メッセージは、前記複数の送信エンティティそれぞれの送信フォーマットコンビネーションサブセットを制限して、前記複数の送信エンティティに共通する最大リソースを定める、方法。
【請求項２】
データパケットの復号化の成功または失敗を示す前記フィードバックメッセージは、一つの制御チャネルを介して送信される、請求項１記載の方法。
【請求項３】
前記フィードバックメッセージ内の情報は、スケジューリング関連制御情報と同時に送信される、請求項２記載の方法。
【請求項４】
前記フィードバックメッセージおよび前記スケジューリング関連制御情報は、同一のチャネライゼーションコードで送信される、請求項３記載の方法。
【請求項５】
データチャネルを介する送信エンティティから受信エンティティへの同期再送とともにＨＡＲＱプロトコルが使用される無線通信システムにおける基地局であって、
前記送信エンティティからデータパケットを受信する受信手段と、
前記受信データパケットの復号化に成功したか否かを判断する判断手段と、
前記受信データパケットの復号化に成功していないと判断された場合に、前記送信エンティティにフィードバックメッセージを送信する送信手段と、
前記送信エンティティを含む複数の送信エンティティのデータ送信をスケジューリングするスケジューリング手段と、を有し、
前記送信手段は、前記複数の送信エンティティに共通制御メッセージを送信し、
前記フィードバックメッセージは、前記フィードバックメッセージの受信から所定の期間後に前記受信データパケットの再送データパケットを送信するよう前記送信エンティティに示しており、
前記共通制御メッセージは、前記複数の送信エンティティそれぞれの送信フォーマットコンビネーションサブセットを制限して、前記複数の送信エンティティに共通する最大リソースを定める、基地局。
【請求項６】
データパケットの復号化の成功または失敗を示す前記フィードバックメッセージは、制御チャネルを介して送信される、請求項５記載の基地局。
【請求項７】
前記フィードバックメッセージ内の情報は、スケジューリング関連制御情報と統合され、一緒に符号化される、請求項６記載の基地局。
【請求項８】
前記フィードバックメッセージおよび前記スケジューリング関連制御情報は、同一のチャネライゼーションコードで送信される、請求項７記載の基地局。
【請求項９】
データチャネルを介する送信エンティティから受信エンティティへの同期再送とともにＨＡＲＱプロトコルが使用される無線通信システムにおいてデータ再送の送信タイミングを制御する、前記送信エンティティにより実行される方法であって、
前記受信エンティティにデータパケットを送信するステップと、
前記受信エンティティからフィードバックメッセージおよび共通制御メッセージを受信するステップと、
前記フィードバックメッセージの受信から所定の期間後に、前記受信エンティティに前記データパケットを再送するステップと、
前記共通制御メッセージに従って、前記受信エンティティの送信フォーマットコンビネーションサブセットを制限して、最大リソースを定めるステップと、を有する方法。
【請求項１０】
データパケットの復号化の成功または失敗を示す前記フィードバックメッセージは、一つの制御チャネルを介して送信される、請求項９記載の方法。
【請求項１１】
前記フィードバックメッセージ内の情報は、スケジューリング関連制御情報と同時に受信される、請求項１０記載の方法。
【請求項１２】
前記フィードバックメッセージおよび前記スケジューリング関連制御情報は、同一のチャネライゼーションコードで受信される、請求項１１記載の方法。
【請求項１３】
データチャネルを介する送信エンティティから受信エンティティへの同期再送とともにＨＡＲＱプロトコルが使用される無線通信システムにおける移動端末であって、
前記受信エンティティにデータパケットを送信する送信手段と、
前記受信エンティティからフィードバックメッセージおよび共通制御メッセージを受信する受信手段と、
前記フィードバックメッセージの受信から所定の期間後に、前記受信エンティティに前記データパケットを再送する再送手段と、
前記共通制御メッセージに従って、前記移動端末の送信フォーマットコンビネーションサブセットを制限して、最大リソースを定める制限手段と、を有する移動端末。
【請求項１４】
データパケットの復号化の成功または失敗を示す前記フィードバックメッセージは、一つの制御チャネルを介して送信される、請求項１３記載の移動端末。
【請求項１５】
前記フィードバックメッセージ内の情報は、スケジューリング関連制御情報と同時に受信される、請求項１４記載の移動端末。
【請求項１６】
前記フィードバックメッセージおよび前記スケジューリング関連制御情報は、同一のチャネライゼーションコードで受信される、請求項１５記載の移動端末。
【請求項１７】
請求項１３から請求項１６のいずれかに記載の移動端末と、請求項５から請求項８のいずれかに記載の基地局とを有し、データチャネルを介して前記移動端末から前記基地局にデータを再送するために同期再送を伴うＨＡＲＱプロトコルを実行する、無線通信システム。
【手続補正３】
【補正対象書類名】明細書
【補正対象項目名】０００１
【補正方法】変更
【補正の内容】
【０００１】
本発明は、データチャネルを介する送信エンティティから受信エンティティへの同期再送とともにＨＡＲＱプロトコルが使用される無線通信システムにおいてデータ再送の送信タイミングを制御する方法に関する。本発明は、更に、本発明を用いる基地局、移動端末および無線通信システムに関する。
【手続補正４】
【補正対象書類名】明細書
【補正対象項目名】００６１
【補正方法】変更
【補正の内容】
【００６１】
本発明の一実施の形態によれば、データチャネルを介する送信エンティティから受信エンティティへの同期再送とともにＨＡＲＱプロトコルが使用される無線通信システムにおいてデータ再送の送信タイミングを制御する、前記受信エンティティにより実行される方法は、前記送信エンティティからデータパケットを受信するステップと、前記受信データパケットの復号化に成功したか否かを判断するステップと、前記受信データパケットの復号化に成功していないと判断された場合に、前記送信エンティティにフィードバックメッセージを送信するステップと、前記送信エンティティを含む複数の送信エンティティのデータ送信をスケジューリングするステップと、前記複数の送信エンティティに共通制御メッセージを送信するステップと、を有し、前記フィードバックメッセージは、前記フィードバックメッセージの受信から所定の期間後に前記受信データパケットの再送データパケットを送信するよう前記送信エンティティに示しており、前記共通制御メッセージは、前記複数の送信エンティティそれぞれの送信フォーマットコンビネーションサブセットを制限して、前記複数の送信エンティティに共通する最大リソースを定める、を有するようにした。
【手続補正５】
【補正対象書類名】明細書
【補正対象項目名】００６２
【補正方法】変更
【補正の内容】
【００６２】
本発明の他の実施の形態によれば、データチャネルを介する送信エンティティから受信エンティティへの同期再送とともにＨＡＲＱプロトコルが使用される無線通信システムにおける基地局は、前記送信エンティティからデータパケットを受信する受信手段と、前記受信データパケットの復号化に成功したか否かを判断する判断手段と、前記受信データパケットの復号化に成功していないと判断された場合に、前記送信エンティティにフィードバックメッセージを送信する送信手段と、前記送信エンティティを含む複数の送信エンティティのデータ送信をスケジューリングするスケジューリング手段と、を有し、前記送信手段は、前記複数の送信エンティティに共通制御メッセージを送信し、前記フィードバックメッセージは、前記フィードバックメッセージの受信から所定の期間後に前記受信データパケットの再送データパケットを送信するよう前記送信エンティティに示しており、前記共通制御メッセージは、前記複数の送信エンティティそれぞれの送信フォーマットコンビネーションサブセットを制限して、前記複数の送信エンティティに共通する最大リソースを定める、構成を採る。
【手続補正６】
【補正対象書類名】明細書
【補正対象項目名】００６３
【補正方法】変更
【補正の内容】
【００６３】
本発明の更に他の実施の形態によれば、データチャネルを介する送信エンティティから受信エンティティへの同期再送とともにＨＡＲＱプロトコルが使用される無線通信システムにおいてデータ再送の送信タイミングを制御する、前記送信エンティティにより実行される方法は、前記受信エンティティにデータパケットを送信するステップと、前記受信エンティティからフィードバックメッセージおよび共通制御メッセージを受信するステップと、前記フィードバックメッセージの受信から所定の期間後に、前記受信エンティティに前記データパケットを再送するステップと、前記共通制御メッセージに従って、前記受信エンティティの送信フォーマットコンビネーションサブセットを制限して、最大リソースを定めるステップと、を有するようにした。
【手続補正７】
【補正対象書類名】明細書
【補正対象項目名】００６４
【補正方法】変更
【補正の内容】
【００６４】
本発明の更に他の実施の形態によれば、データチャネルを介する送信エンティティから受信エンティティへの同期再送とともにＨＡＲＱプロトコルが使用される無線通信システムにおける移動端末は、前記受信エンティティにデータパケットを送信する送信手段と、前記受信エンティティからフィードバックメッセージおよび共通制御メッセージを受信する受信手段と、前記フィードバックメッセージの受信から所定の期間後に、前記受信エンティティに前記データパケットを再送する再送手段と、前記共通制御メッセージに従って、前記移動端末の送信フォーマットコンビネーションサブセットを制限して、最大リソースを定める制限手段と、を有する構成を採る。
【手続補正８】
【補正対象書類名】明細書
【補正対象項目名】００６５
【補正方法】変更
【補正の内容】
【００６５】
本発明の更に他の実施の形態によれば、無線通信システムは、上記の移動端末と上記の基地局とを有し、データチャネルを介して移動端末から基地局にデータを再送するために同期再送を伴うＨＡＲＱプロトコルを実行する構成を採る。
【手続補正９】
【補正対象書類名】明細書
【補正対象項目名】００６６
【補正方法】削除
【補正の内容】
【手続補正１０】
【補正対象書類名】明細書
【補正対象項目名】００６７
【補正方法】削除
【補正の内容】
【手続補正１１】
【補正対象書類名】明細書
【補正対象項目名】００６８
【補正方法】削除
【補正の内容】
【手続補正１２】
【補正対象書類名】明細書
【補正対象項目名】００６９
【補正方法】削除
【補正の内容】
【手続補正１３】
【補正対象書類名】明細書
【補正対象項目名】００７０
【補正方法】削除
【補正の内容】
【手続補正１４】
【補正対象書類名】明細書
【補正対象項目名】００７１
【補正方法】削除
【補正の内容】
【手続補正１５】
【補正対象書類名】明細書
【補正対象項目名】００７２
【補正方法】削除
【補正の内容】
【手続補正１６】
【補正対象書類名】明細書
【補正対象項目名】００７３
【補正方法】削除
【補正の内容】
【手続補正１７】
【補正対象書類名】明細書
【補正対象項目名】００７４
【補正方法】削除
【補正の内容】
【手続補正１８】
【補正対象書類名】明細書
【補正対象項目名】００７５
【補正方法】削除
【補正の内容】
【手続補正１９】
【補正対象書類名】明細書
【補正対象項目名】００７６
【補正方法】削除
【補正の内容】
【手続補正２０】
【補正対象書類名】明細書
【補正対象項目名】００７７
【補正方法】削除
【補正の内容】
【手続補正２１】
【補正対象書類名】明細書
【補正対象項目名】００７８
【補正方法】削除
【補正の内容】
【手続補正２２】
【補正対象書類名】明細書
【補正対象項目名】００７９
【補正方法】削除
【補正の内容】
【手続補正２３】
【補正対象書類名】明細書
【補正対象項目名】００８０
【補正方法】削除
【補正の内容】
【手続補正２４】
【補正対象書類名】明細書
【補正対象項目名】００８１
【補正方法】削除
【補正の内容】
【手続補正２５】
【補正対象書類名】明細書
【補正対象項目名】００８２
【補正方法】削除
【補正の内容】
【手続補正２６】
【補正対象書類名】明細書
【補正対象項目名】００８３
【補正方法】削除
【補正の内容】
【手続補正２７】
【補正対象書類名】明細書
【補正対象項目名】００８４
【補正方法】削除
【補正の内容】
【手続補正２８】
【補正対象書類名】明細書
【補正対象項目名】００８５
【補正方法】削除
【補正の内容】
【手続補正２９】
【補正対象書類名】明細書
【補正対象項目名】００８６
【補正方法】削除
【補正の内容】
【手続補正３０】
【補正対象書類名】明細書
【補正対象項目名】００８７
【補正方法】削除
【補正の内容】
【手続補正３１】
【補正対象書類名】明細書
【補正対象項目名】００８８
【補正方法】削除
【補正の内容】
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
移動端末における、ＨＡＲＱ再送プロトコルを用いたデータパケット送信方法であって、
前記移動端末により自発的に選択されたタイミングで基地局にデータパケットを送信するステップと、
前記基地局での前記データパケットの復号化成功または復号化失敗を示すフィードバックメッセージを前記基地局から受信するステップと、
前記データパケットの復号化失敗を示すフィードバックメッセージの受信後、前記データパケットの再送を前記基地局に送信するステップと、
前記移動端末を含む複数の移動端末に送信された共通制御メッセージを受信するステップと、
を有し、
前記データパケットの復号化失敗を示すフィードバックメッセージの受信タイミングから前記データパケットの再送の送信タイミングまでの期間は、前記基地局にとって既知である所定の期間であり、
前記共通制御メッセージは、前記複数の移動端末それぞれの送信フォーマットコンビネーションサブセットを制限して、前記複数の移動端末に共通する最大リソースを定める、  データパケット送信方法。
【請求項２】
前記データパケットの復号化の成功または失敗を示す前記フィードバックメッセージは、一つの制御チャネルを介して送信される、請求項１記載のデータパケット送信方法。
【請求項３】
前記フィードバックメッセージ内の情報は、スケジューリング関連制御情報と同時に送信される、請求項２記載のデータパケット送信方法。
【請求項４】
前記フィードバックメッセージ内の情報は、スケジューリング関連制御情報と統合され、一緒に符号化される、請求項２記載のデータパケット送信方法。
【請求項５】
前記フィードバックメッセージおよび前記スケジューリング関連制御情報は、同一のチャネライゼーションコードで送信される、請求項３又は請求項４記載のデータパケット送信方法。
【請求項６】
基地局における、ＨＡＲＱ再送プロトコルを用いたデータパケット受信方法であって、
移動端末により自発的に選択されたタイミングで送信されたデータパケットを受信するステップと、
前記データパケットを復号化するステップと、
前記データパケットの復号化に成功したか失敗したかを判断するステップと、
前記データパケットの復号化に失敗したと判断された場合に、前記データパケットの復号化失敗を示すフィードバックメッセージを前記移動端末に送信するステップと、
前記移動端末を含む複数の移動端末に共通制御メッセージを送信するステップと、
を有し、
前記データパケットの復号化失敗を示すフィードバックメッセージの受信タイミングから前記データパケットの再送の送信タイミングまでの期間は、前記基地局にとって既知である所定の期間であり、
前記共通制御メッセージは、前記複数の移動端末それぞれの送信フォーマットコンビネーションサブセットを制限して、前記複数の移動端末に共通する最大リソースを定める、データパケット受信方法。
【請求項７】
データパケットの復号化の成功または失敗を示す前記フィードバックメッセージは、一つの制御チャネルを介して送信される、請求項６記載のデータパケット受信方法。
【請求項８】
前記フィードバックメッセージ内の情報は、スケジューリング関連制御情報と同時に送信される、請求項７記載のデータパケット受信方法。
【請求項９】
前記フィードバックメッセージ内の情報は、スケジューリング関連制御情報と統合され、一緒に符号化される、請求項７記載のデータパケット受信方法。
【請求項１０】
前記フィードバックメッセージおよび前記スケジューリング関連制御情報は、同一のチャネライゼーションコードで送信される、請求項８又は請求項９記載のデータパケット受信方法。
【請求項１１】
移動端末と基地局における、ＨＡＲＱ再送プロトコルを用いたデータパケット送受信方法であって、
前記移動端末において、前記移動端末により自発的に選択されたタイミングで基地局にデータパケットを送信するステップと、
前記基地局において、前記データパケットを受信するステップと、
前記基地局において、前記データパケットを復号化するステップと、
前記基地局において、前記データパケットの復号化に成功したか失敗したかを判断するステップと、
前記データパケットの復号化に失敗したと判断された場合に、前記基地局において、前記データパケットの復号化失敗を示すフィードバックメッセージを前記移動端末に送信するステップと、
前記基地局において、前記移動端末を含む複数の移動端末に共通制御メッセージを送信するステップと、
前記移動端末において、前記データパケットの復号化失敗を示すフィードバックメッセージの受信後、前記データパケットの再送を前記基地局に送信するステップと、
を有し、
前記データパケットの復号化失敗を示すフィードバックメッセージの受信タイミングから前記データパケットの再送の送信タイミングまでの期間は、前記基地局にとって既知である所定の期間であり、
前記共通制御メッセージは、前記複数の移動端末それぞれの送信フォーマットコンビネーションサブセットを制限して、前記複数の移動端末に共通する最大リソースを定める、データパケット送受信方法。
【請求項１２】
データパケットの復号化の成功または失敗を示す前記フィードバックメッセージは、一つの制御チャネルを介して送信される、請求項１１記載のデータパケット送受信方法。
【請求項１３】
前記フィードバックメッセージ内の情報は、スケジューリング関連制御情報と同時に送信される、請求項１２記載のデータパケット送受信方法。
【請求項１４】
前記フィードバックメッセージ内の情報は、スケジューリング関連制御情報と統合され、一緒に符号化される、請求項１２記載のデータパケット送受信方法。
【請求項１５】
前記フィードバックメッセージおよび前記スケジューリング関連制御情報は、同一のチャネライゼーションコードで送信される、請求項１３又は請求項１４記載のデータパケット送受信方法。
【請求項１６】
ＨＡＲＱ再送プロトコルを用いたデータパケット送信を行う移動端末であって、
前記移動端末により自発的に選択されたタイミングで基地局にデータパケットを送信し、前記基地局での前記データパケットの復号化失敗を示すフィードバックメッセージの受信後、前記データパケットの再送を前記基地局に送信する送信手段と、
前記基地局での前記データパケットの復号化成功または復号化失敗を示すフィードバックメッセージを前記基地局から受信し、前記移動端末を含む複数の移動端末に送信された共通制御メッセージを受信する受信手段と、
を有し、
前記データパケットの復号化失敗を示すフィードバックメッセージの受信タイミングから前記データパケットの再送の送信タイミングまでの期間は、前記基地局にとって既知である所定の期間であり、
前記共通制御メッセージは、前記複数の移動端末それぞれの送信フォーマットコンビネーションサブセットを制限して、前記複数の移動端末に共通する最大リソースを定める、移動端末。
【請求項１７】
データパケットの復号化の成功または失敗を示す前記フィードバックメッセージは、一つの制御チャネルを介して送信される、請求項１６記載の移動端末。
【請求項１８】
前記フィードバックメッセージ内の情報は、スケジューリング関連制御情報と同時に送信される、請求項１７記載の移動端末。
【請求項１９】
前記フィードバックメッセージ内の情報は、スケジューリング関連制御情報と統合され、一緒に符号化される、請求項１７記載の移動端末。
【請求項２０】
前記フィードバックメッセージおよび前記スケジューリング関連制御情報は、同一のチャネライゼーションコードで送信される、請求項１８又は請求項１９記載の移動端末。
【請求項２１】
ＨＡＲＱ再送プロトコルを用いたデータパケットを受信する基地局であって、
移動端末により自発的に選択されたタイミングで送信されたデータパケットを受信する受信手段と、
前記データパケットを復号化する復号化手段と、
前記データパケットの復号化に成功したか失敗したかを判断する判断手段と、
前記データパケットの復号化に失敗したと判断された場合に、前記データパケットの復号化失敗を示すフィードバックメッセージを前記移動端末に送信し、前記移動端末を含む複数の移動端末に共通制御メッセージを送信する送信手段と、
を有し、
前記データパケットの復号化失敗を示すフィードバックメッセージの受信タイミングから前記データパケットの再送の送信タイミングまでの期間は、前記基地局にとって既知である所定の期間であり、
前記共通制御メッセージは、前記複数の移動端末それぞれの送信フォーマットコンビネーションサブセットを制限して、前記複数の移動端末に共通する最大リソースを定める、基地局。
【請求項２２】
データパケットの復号化の成功または失敗を示す前記フィードバックメッセージは、一つの制御チャネルを介して送信される、請求項２１記載の基地局。
【請求項２３】
前記フィードバックメッセージ内の情報は、スケジューリング関連制御情報と同時に送信される、請求項２２記載の基地局。
【請求項２４】
前記フィードバックメッセージ内の情報は、スケジューリング関連制御情報と統合され、一緒に符号化される、請求項２２記載の基地局。
【請求項２５】
前記フィードバックメッセージおよび前記スケジューリング関連制御情報は、同一のチャネライゼーションコードで送信される、請求項２３又は請求項２４記載の基地局。
【請求項２６】
移動端末と基地局との間で、ＨＡＲＱ再送プロトコルを用いたデータパケット送受信を行う無線通信システムであって、
前記移動端末は、
前記移動端末により自発的に選択されたタイミングで基地局にデータパケットを送信し、前記基地局での前記データパケットの復号化失敗を示すフィードバックメッセージの受信後、前記データパケットの再送を前記基地局に送信する送信手段と、
前記基地局での前記データパケットの復号化成功または復号化失敗を示すフィードバックメッセージを前記基地局から受信し、前記移動端末を含む複数の移動端末に送信された共通制御メッセージを受信する受信手段と、
を有し、
前記基地局は、
前記移動端末により自発的に選択されたタイミングで送信されたデータパケットを受信する受信手段と、
前記データパケットを復号化する復号化手段と、
前記データパケットの復号化に成功したか失敗したかを判断する判断手段と、
前記データパケットの復号化に失敗したと判断された場合に、前記データパケットの復号化失敗を示すフィードバックメッセージを前記移動端末に送信し、前記移動端末を含む複数の移動端末に共通制御メッセージを送信する送信手段と、
を有し、
前記データパケットの復号化失敗を示すフィードバックメッセージの受信タイミングから前記データパケットの再送の送信タイミングまでの期間は、前記基地局にとって既知である所定の期間であり、
前記共通制御メッセージは、前記複数の移動端末それぞれの送信フォーマットコンビネーションサブセットを制限して、前記複数の移動端末に共通する最大リソースを定める、無線通信システム。
【請求項２７】
データパケットの復号化の成功または失敗を示す前記フィードバックメッセージは、一つの制御チャネルを介して送信される、請求項２６記載の無線通信システム。
【請求項２８】
前記フィードバックメッセージ内の情報は、スケジューリング関連制御情報と同時に送信される、請求項２７記載の無線通信システム。
【請求項２９】
前記フィードバックメッセージ内の情報は、スケジューリング関連制御情報と統合され、一緒に符号化される、請求項２７記載の無線通信システム。
【請求項３０】
前記フィードバックメッセージおよび前記スケジューリング関連制御情報は、同一のチャネライゼーションコードで送信される、請求項２８又は請求項２９記載の無線通信システム。
【手続補正３】
【補正対象書類名】明細書
【補正対象項目名】０００１
【補正方法】変更
【補正の内容】
【０００１】
本発明は、データパケット送信方法、データパケット受信方法、データパケット送受信方法、移動端末、基地局および無線通信システムに関する。
【手続補正４】
【補正対象書類名】明細書
【補正対象項目名】０００７
【補正方法】変更
【補正の内容】
【０００７】
ＨＡＲＱタイプＩでは、受信した誤りのあるデータパケット、いわゆるＰＤＵ（パケットデータユニット）は廃棄され、当該ＰＤＵの新しいコピーが別途再送、復号化される。ＨＡＲＱタイプＩＩを用いると、再送される必要のある誤りのあるＰＤＵは廃棄されず、後の復号化のために送信器により供給される幾らかの増加冗長性（incremental redundancy）ビットと合成される。再送ＰＤＵは、より高い符号化率を有することがあり、受信器で記憶された値と合成される。つまり、再送毎に僅かに冗長性が加えられる。
【手続補正５】
【補正対象書類名】明細書
【補正対象項目名】００２１
【補正方法】変更
【補正の内容】
【００２１】
ユーザ機器からノードＢに送信されるべきデータパケットを搬送するＭ個の異なるデータフロー（ＭＡＣ−ｄ）が存在する。これらのデータフローは、異なるＱｏＳ（サービス品質）、例えば、遅延および誤りについての要件を有してもよく、ＨＡＲＱインスタンスの異なる構造を必要とし得る。従って、データパケットは、異なる優先度キューに記憶され得る。ユーザ機器およびノードＢにそれぞれ位置するＨＡＲＱ送受信エンティティのセットはＨＡＲＱ処理と称される。スケジューラは、異なる優先度キューにＨＡＲＱ処理を割り当てる際にＱｏＳパラメータを考慮する。ＭＡＣ−ｅｕエンティティは、レイヤ１シグナリングを介してノードＢ（ネットワーク側）からスケジューリング情報を受信する。
【手続補正６】
【補正対象書類名】明細書
【補正対象項目名】００６０
【補正方法】変更
【補正の内容】
【００６０】
この目的は、独立請求項の内容によって解決される。本発明の好適な実施の形態は従属請求項の内容である。
本発明のデータ送信方法は、移動端末における、ＨＡＲＱ再送プロトコルを用いたデータパケット送信方法であって、前記移動端末により自発的に選択されたタイミングで基地局にデータパケットを送信するステップと、前記基地局での前記データパケットの復号化成功または復号化失敗を示すフィードバックメッセージを前記基地局から受信するステップと、前記データパケットの復号化失敗を示すフィードバックメッセージの受信後、前記データパケットの再送を前記基地局に送信するステップと、前記移動端末を含む複数の移動端末に送信された共通制御メッセージを受信するステップと、を有し、前記データパケットの復号化失敗を示すフィードバックメッセージの受信タイミングから前記データパケットの再送の送信タイミングまでの期間は、前記基地局にとって既知である所定の期間であり、前記共通制御メッセージは、前記複数の移動端末それぞれの送信フォーマットコンビネーションサブセットを制限して、前記複数の移動端末に共通する最大リソースを定めるようにした。
本発明のデータ受信方法は、基地局における、ＨＡＲＱ再送プロトコルを用いたデータパケット受信方法であって、移動端末により自発的に選択されたタイミングで送信されたデータパケットを受信するステップと、前記データパケットを復号化するステップと、前記データパケットの復号化に成功したか失敗したかを判断するステップと、前記データパケットの復号化に失敗したと判断された場合に、前記データパケットの復号化失敗を示すフィードバックメッセージを前記移動端末に送信するステップと、前記移動端末を含む複数の移動端末に共通制御メッセージを送信するステップと、を有し、前記データパケットの復号化失敗を示すフィードバックメッセージの受信タイミングから前記データパケットの再送の送信タイミングまでの期間は、前記基地局にとって既知である所定の期間であり、前記共通制御メッセージは、前記複数の移動端末それぞれの送信フォーマットコンビネーションサブセットを制限して、前記複数の移動端末に共通する最大リソースを定めるようにした。
本発明のデータ送受信方法は、移動端末と基地局における、ＨＡＲＱ再送プロトコルを用いたデータパケット送受信方法であって、前記移動端末において、前記移動端末により自発的に選択されたタイミングで基地局にデータパケットを送信するステップと、前記基地局において、前記データパケットを受信するステップと、前記基地局において、前記データパケットを復号化するステップと、前記基地局において、前記データパケットの復号化に成功したか失敗したかを判断するステップと、前記データパケットの復号化に失敗したと判断された場合に、前記基地局において、前記データパケットの復号化失敗を示すフィードバックメッセージを前記移動端末に送信するステップと、前記基地局において、前記移動端末を含む複数の移動端末に共通制御メッセージを送信するステップと、前記移動端末において、前記データパケットの復号化失敗を示すフィードバックメッセージの受信後、前記データパケットの再送を前記基地局に送信するステップと、を有し、前記データパケットの復号化失敗を示すフィードバックメッセージの受信タイミングから前記データパケットの再送の送信タイミングまでの期間は、前記基地局にとって既知である所定の期間であり、前記共通制御メッセージは、前記複数の移動端末それぞれの送信フォーマットコンビネーションサブセットを制限して、前記複数の移動端末に共通する最大リソースを定めるようにした。
本発明の移動端末は、ＨＡＲＱ再送プロトコルを用いたデータパケット送信を行う移動端末であって、前記移動端末により自発的に選択されたタイミングで基地局にデータパケットを送信し、前記基地局での前記データパケットの復号化失敗を示すフィードバックメッセージの受信後、前記データパケットの再送を前記基地局に送信する送信手段と、前記基地局での前記データパケットの復号化成功または復号化失敗を示すフィードバックメッセージを前記基地局から受信し、前記移動端末を含む複数の移動端末に送信された共通制御メッセージを受信する受信手段と、を有し、前記データパケットの復号化失敗を示すフィードバックメッセージの受信タイミングから前記データパケットの再送の送信タイミングまでの期間は、前記基地局にとって既知である所定の期間であり、前記共通制御メッセージは、前記複数の移動端末それぞれの送信フォーマットコンビネーションサブセットを制限して、前記複数の移動端末に共通する最大リソースを定める構成を採る。
本発明の基地局は、ＨＡＲＱ再送プロトコルを用いたデータパケットを受信する基地局であって、移動端末により自発的に選択されたタイミングで送信されたデータパケットを受信する受信手段と、前記データパケットを復号化する復号化手段と、前記データパケットの復号化に成功したか失敗したかを判断する判断手段と、前記データパケットの復号化に失敗したと判断された場合に、前記データパケットの復号化失敗を示すフィードバックメッセージを前記移動端末に送信し、前記移動端末を含む複数の移動端末に共通制御メッセージを送信する送信手段と、を有し、前記データパケットの復号化失敗を示すフィードバックメッセージの受信タイミングから前記データパケットの再送の送信タイミングまでの期間は、前記基地局にとって既知である所定の期間であり、前記共通制御メッセージは、前記複数の移動端末それぞれの送信フォーマットコンビネーションサブセットを制限して、前記複数の移動端末に共通する最大リソースを定める構成を採る。
本発明の無線通信システムは、移動端末と基地局との間で、ＨＡＲＱ再送プロトコルを用いたデータパケット送受信を行う無線通信システムであって、前記移動端末は、前記移動端末により自発的に選択されたタイミングで基地局にデータパケットを送信し、前記基地局での前記データパケットの復号化失敗を示すフィードバックメッセージの受信後、前記データパケットの再送を前記基地局に送信する送信手段と、前記基地局での前記データパケットの復号化成功または復号化失敗を示すフィードバックメッセージを前記基地局から受信し、前記移動端末を含む複数の移動端末に送信された共通制御メッセージを受信する受信手段と、を有し、前記基地局は、前記移動端末により自発的に選択されたタイミングで送信されたデータパケットを受信する受信手段と、前記データパケットを復号化する復号化手段と、前記データパケットの復号化に成功したか失敗したかを判断する判断手段と、前記データパケットの復号化に失敗したと判断された場合に、前記データパケットの復号化失敗を示すフィードバックメッセージを前記移動端末に送信し、前記移動端末を含む複数の移動端末に共通制御メッセージを送信する送信手段と、を有し、前記データパケットの復号化失敗を示すフィードバックメッセージの受信タイミングから前記データパケットの再送の送信タイミングまでの期間は、前記基地局にとって既知である所定の期間であり、前記共通制御メッセージは、前記複数の移動端末それぞれの送信フォーマットコンビネーションサブセットを制限して、前記複数の移動端末に共通する最大リソースを定める構成を採る。
【手続補正７】
【補正対象書類名】明細書
【補正対象項目名】００６１
【補正方法】削除
【補正の内容】
【手続補正８】
【補正対象書類名】明細書
【補正対象項目名】００６２
【補正方法】削除
【補正の内容】
【手続補正９】
【補正対象書類名】明細書
【補正対象項目名】００６３
【補正方法】削除
【補正の内容】
【手続補正１０】
【補正対象書類名】明細書
【補正対象項目名】００６４
【補正方法】削除
【補正の内容】
【手続補正１１】
【補正対象書類名】明細書
【補正対象項目名】００６５
【補正方法】削除
【補正の内容】
【国際調査報告】
2007523529.tif 000017
2007523529.tif 000018
2007523529.tif 000019